(57)【要約】  本出願は、コアと該コアを封入するシェルとを含む封入有益剤を製造するために使用され得るプロセス、こうしたプロセスによって製造される封入有益剤、及びこうした封入有益剤を含む製品並びにこうした製品の製造及び使用法に関する。かかるプロセスは、種々の製品で使用する際に所望の保護及び放出効果を提供する粒子を生成するために使用することができる。【特許請求の範囲】
【請求項１】
６％〜５０％、好ましくは８％〜３５％、より好ましくは１２％〜約２５％の集合体直径の変異係数を有する封入有益剤の集合体であって、前記封入有益剤の集合体が、３マイクロメートル〜３００マイクロメートル、好ましくは５マイクロメートル〜２４０マイクロメートル、より好ましくは１０マイクロメートル〜１２０マイクロメートルの平均直径を有し、該封入有益剤が、コアと、前記コアを封入するシェルと含み、前記シェルが、ポリマー、好ましくはフィルム形成ポリマーを含み、前記シェルが、０．５マイクロメートル〜１５マイクロメートル、好ましくは１マイクロメートル〜８マイクロメートル、より好ましくは１．５マイクロメートル〜６マイクロメートルの厚さと、２％〜３０％、好ましくは４％〜２５％、より好ましくは６％〜２０％のシェル厚さの変異係数とを有する、封入有益剤の集合体。
【請求項２】
前記コアが、香料、色相剤、光沢剤、シリコーン、酵素及びこれらの混合物からなる群から選択される材料を含む、請求項１に記載の封入有益剤の集合体。
【請求項３】
ａ）前記香料が、
プロパ−２−エニル３−シクロヘキシルプロパノエート、（４ａＲ，５Ｒ，７ａＳ，９Ｒ）−オクタヒドロ−２，２，５，８，８，９ａ−ヘキサメチル−４ｈ−４ａ，９−メタノアズレノ（５，６−ｄ）−１，３−ジオキソール、（３ａＲ，５ａＳ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］［１］ベンゾフラン、４−メトキシベンズアルデヒド、ベンジル２−ヒドロキシベンゾエート、２−メトキシナフタレン、３−（４−ｔｅｒｔ−ブチルフェニル）プロパノール、３ａ，６，６，９ａ−テトラメチル−２，４，５，５ａ，７，８，９，９ｂ−オクタヒドロ−１Ｈ−ベンゾ［ｅ］［１］ベンゾフラン、３，７−ジメチルオクタ−６−エン−１−オール、３，７−ジメチルオクタ−６−エンニトリル、３−（４−ｔｅｒｔ−ブチルフェニル）ブタナール、３−（４−プロパン−２−イルフェニル）ブタナール、（Ｅ）−１−（２，６，６−トリメチル−１−シクロヘキサ−１，３−ジエニル）ブタ−２−エン−１−オン、デカナール、（Ｅ）−１−（２，６，６−トリメチル−１−シクロヘキサ−３−エニル）ブタ−２−エン−１−オン、（５Ｅ）−３−メチルシクロペンタデカ−５−エン−１−オン、２，６−ジメチルオクト−７−エン−２−オール、エチル２−メチルペンタノエート、エチル２−メチルブタノエート、１，３，３−トリメチル−２−オキサビシクロ［２，２，２］オクタン、２−メトキシ−４−プロパ−２−エニルフェノール、３ａ，４，５，６，７，７ａ−ヘキサヒドロ−４，７−メタノ−１Ｈ−インデニルアセテート、３−（３−プロパン−２−イルフェニル）ブタナール、ａ，４，５，６，７，７ａ−ヘキサヒドロ−１Ｈ−４，７−メタノインデン−１−イルプロパノエート、（２Ｅ）−３，７−ジメチルオクタ−２，６−ジエン−１−オール、（１２Ｅ）−１−オキサシクロヘキキサデカ−１２−エン−２−オン、［２−［１−（３，３−ジメチルシクロヘキシル）エトキシ］−２−メチルプロピル］プロパノエート、ヘキシルアセテート、２−（フェニルメチリデン）オクタナール、ヘキシル−２−ヒドロキシベンゾエート、（Ｅ）−４−（２，６，６−トリメチル−１−シクロヘキサ−２−エニル）ブタ−３−エン−２−オン、（Ｅ）−４−（２，６，６−トリメチル）−１−シクロヘキセニル）ブタ−３−エン−２−オン、（Ｅ）−３−メチル−４−（２，６，６−トリメチル−１−シクロヘキサ−２−エニル）ブタ−３−エン−２−オン、１−（２，３，８，８−テトラメチル−１，３，４，５，６，７−ヘキサヒドロナフタレン−２−イル）エタノン、プロパン−２−イル２−メチルブタノエート、（１Ｒ，２Ｓ，５Ｒ）−５−メチル−２−プロパン−２−イルシクロヘキサン−１−オール、（Ｅ）−２−エチル−４−（２，２，３−トリメチル−１−シクロペンタ−３−エニル）ブタ−２−エン−１−オール、２，４−ジメチルシクロヘキサ−３−エン−１−カルバルデヒド、３，７−ジメチルオクタ−１，６−ジエン−３−オール、３，７−ジメチルオクタ−１，６−ジエン−３−イルアセテート、１−（（３Ｒ，３ａＳ，７Ｒ，８ａＳ）−２，３，４，７，８，８ａ−ヘキサヒドロ−３，６，８，８−テトラメチル−１Ｈ−３ａ，７−メタノアズレン−５−イル）−エタノン、メチル−３−オキソ−２−ペンチルシクロペンタンアセテート、２−メチルウンデカナール、２−［２−（４−メチル−１−シクロヘキサ−３−エニル）プロピル］シクロペンタン−１−オン、１−（５，５−ジメチル−１−シクロヘキセニル）ペンタ−４−エン−１−オン、２−シクロヘキシリデン−２−フェニルアセトニトリル、２−フェニルエタノール、３，７−ジメチルオクタン−３−オール、５−ヘプチルオキソラン−２−オン、（２−ｔｅｒｔ−ブチルシクロヘキシル）アセテート、及びこれらの混合物からなる群から選択される材料を含み、
ｂ）前記色相剤が、小分子染料、ポリマー染料、染料粘土結合体、顔料又はこれらの混合物からなる群から選択される材料を含み、
前記光沢剤が、４，４’−ビス−（２−スルホスチリル）ビフェニル二ナトリウム；２，２’−（１，２−エテンジイル）ビス［５−［４−［（２−ヒドロキシエチル）メチルアミノ］−６−（フェニルアミノ）−１，３，５−トリアジン−２−イル（ｙ）］アミノ］−ベンゼンスルホン酸二ナトリウム塩；４，４’−ビス｛［４，４−アニリノ−６−［ビス（２−ヒドロキシエチル）アミノ−ｓ−トリアジン−２イル］−アミノ｝−２，２’−スチルベンジスルホン酸二ナトリウム；４，４’−ビス［（４−アニリノ−６−（Ｎ−２−ヒドロキシエチル−Ｎ−メチルアミノ）−ｓ−トリアジン−２−イル）アミノ］２，２’−スチルベンジスルホン酸二ナトリウム；４，４’−ビス｛［４−アニリノ−６−メチルアミノ−ｓ−トリアジン−２−イル］−アミノ｝−２，２’−スチルベンジスルホン酸二ナトリウム；４，４”−ビス［４，６−ジ−アニリノ−ｓ−トリアジン−２−イル］−２，２’−スチルベンジスルホン酸二ナトリウム；４，４’−ビス｛［４−アニリノ−６−モルホリノ−ｓ−トリアジン−２−イル｝−アミノ｝−２，２’−スチルベンジスルホン酸二ナトリウム；及びこれらの組み合わせの群から選択される材料を含み、
ｄ）前記シリコーンが、非官能性シロキサンポリマー、官能性シロキサンポリマー、シリコーン樹脂、シリコーン溶媒、環式シリコーン、及びこれらの混合物からなる群から選択される材料を含み、
ｅ）前記酵素が、ペルオキシダーゼ、プロテアーゼ、リパーゼ、ホスホリパーゼ、セロビオヒドロラーゼ、セルビオースデヒドロゲナーゼ、エステラーゼ、クチナーゼ、ペクチナーゼ、マンナナーゼ、ペクチン酸リアーゼ、ケラチナーゼ、還元酵素、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択される材料を含む、請求項２に記載の封入有益剤の集合体。
【請求項４】
ａ）前記小分子染料が、
ダイレクト・ブルー、ダイレクト・レッド、ダイレクト・バイオレット、アシッド・ブルー、アシッド・レッド、アシッド・バイオレット、ベーシック・ブルー、ベーシック・バイオレット及びベーシック・レッド、又はこれらの混合物のカラーインデックス分類に該当する染料からなる群から選択される材料を含み、
ｂ）前記ポリマー染料が、結合した色原体を含むポリマー（染料−ポリマー結合体）及びポリマーの骨格に共重合した色原体を有するポリマー、並びにこれらの混合物からなる群から選択されるポリマー染料を含み、
ｃ）前記染料粘土結合体が、少なくとも１つのカチオン性／塩基性染料及びスメクタイト粘土、並びにこれらの混合物を含み、
ｄ）前記非官能性シリコーンポリマーが、ポリジメチルシロキサン、ジメチコン、ジメチコノール、ジメチコン架橋ポリマー、フェニルトリメチコン、アルキルジメチコン、ラウリルジメチコン、ステアリルジメチコン、フェニルジメチコン、フェニルプロピル置換ジメチコン、及びこれらの混合物を含み、
ｅ）前記官能性シロキサンポリマーが、アミノシリコーン、アミドシリコーン、シリコーンポリエーテル、シリコーン−ウレタンポリマー、四級ＡＢｎシリコーン、アミノＡＢｎシリコーン、及びこれらの混合物を含む、請求項３に記載の封入有益剤の集合体。
【請求項５】
前記シェルが、以下のポリマー１及び／又はポリマー２を備えるシェル材料を含み、前記ポリマー１及びポリマー２が、それぞれ独立して、５，０００Ｄａ〜５００，０００Ｄａ、好ましくは１０，０００ＤＡ〜３００，０００Ｄａ、より好ましくは２０，０００Ｄａ〜２４０，０００Ｄａの重量平均分子量を有し、
【化１】
2016525929.tif 000036
ポリマー１及びポリマー２については、
各ｎが、独立して、０〜４，０００までの整数であり、
ポリマー１中の全ての整数ｎの和が、６０〜７，０００の整数であり、ポリマー２中の全ての整数の和が、６０〜７，０００の整数であり、
ポリマー１及びポリマー２中の各Ｒ１が、独立して、以下からなる群から選択され、
【化２】
2016525929.tif 000037
式中、各ｃが、０〜６０の整数であり、各Ｒ２が、独立して、以下からなる群から選択され、
【化３】
2016525929.tif 000038
式中、各ｘが、独立して、０〜６０の整数である、請求項１〜４のいずれか一項に記載の封入有益剤の集合体。
【請求項６】
各Ｒ１が、独立して、以下からなる群から選択される、請求項５に記載の封入有益剤の集合体。
【化４】
2016525929.tif 000039
【請求項７】
前記シェル材料が、ポリ（ビニルアルコール）、ポリ（ビニルアセテート）、ポリ（ビニルピロリドン）、ポリ（ビニルアセテートフタレート）、ビニルアセテートネオデカノン酸コポリマー、ビニルアセテートエチレンコポリマー、ビニルアセテートクロトン酸ネオデカノエートコポリマー、ビニルアセテートクロトン酸コポリマー、ビニルアセテートブチルマレエートコポリマー、セルロースアセテート、セルロースアセテートフタレート、エチルセルロース、ヒドロキシプロピルメチルセルロースフタレート、セルロースアセテートブチレート、ビニルピロリドンビニルアセテートコポリマー、ポリ（スチレン−コ−マレイン酸）イソブチルエステル、ポリ（スチレン−コ−ブタジエン）、ポリ（スチレン−コ−アクリル）、及びこれらの混合物を含む、請求項１に記載の封入有益剤の集合体。
【請求項８】
前記コア及び／又は前記シェルが、粘度調節剤を更に含む、請求項１〜７のいずれか一項に記載の封入有益剤の集合体。
【請求項９】
前記粘度調節剤が、１００ｃＰｓ未満の、又は８０ｃＰｓ未満の、若しくは更には６０ｃＰｓ未満の粘度を有する、水溶性溶媒、水不溶性溶媒、シリコーン、香料原材料及び／又はこれらの混合物を含む、請求項１〜８のいずれか一項に記載の封入有益剤の集合体。
【請求項１０】
請求項１〜９のいずれか一項に記載の封入有益剤の集合体と、補助成分とを含む、製品。
【請求項１１】
請求項１０に記載の製品を使用する方法であって、任意に部位をすすぎ及び／又は乾燥する工程と、前記部位を請求項１０に記載の製品に接触させる工程と、次いで任意に前記部位を洗浄し、すすぎ及び／又は乾燥する工程とを含む、方法。
【請求項１２】
請求項１０に記載の製品で処理された、部位。
【発明の詳細な説明】
【技術分野】
【０００１】
本出願は、コアと該コアを封入するシェルとを含む封入有益剤を製造するために使用され得るプロセス、こうしたプロセスによって製造される封入有益剤、及びこうした封入有益剤を含む製品並びにこうした製品の製造及び使用法に関する。
【背景技術】
【０００２】
製品（例えば、消費者製品）は、このような製品に及び／又はこのような製品と接触した部位に所望の効果（例えば、色調及び／又は石鹸泡抑制）をもたらし得る、１種又は２種以上の有益剤を含んでもよい。残念ながら、特定の製品、例えば、液体製品では、有益剤は、こうした製品が使用される前にこうした製品の成分によって分解されるか又は成分を分解する場合がある。したがって、有益剤から製品の成分を保護し、所望の時間において有益剤の所望の濃度を提供する保護系が必要とされてきた。この分野において努力がなされてきたが、保護及び／又は有益剤放出プロファイルの必要とされる濃度を提供することに失敗している。加えて、色調染料などの多くの材料は、水性及び有機環境において分散性又は溶解性である液体材料である。したがって、こうした材料は、従来の方法によって封入されることはできない。したがって、製品の貯蔵中にこうした製品に損傷を与えることがなく、なお所望の放出プロファイルを供与する封入有益剤に対する要望が未だにある。
【発明の概要】
【発明が解決しようとする課題】
【０００３】
封入有益剤をフローに注目して製造するための試みがこれまでなされてきた。こうした試みは、得られた封入有益剤が対称的な単分散ではなく、及び／又は均一なコアシェル構造を有さなかったために、限られた成功しか収めていない。本出願人は、こうした問題の原因が、ノズルを通しての好ましくない運動量及び質量移動であることを認識した。本出願人は、流体粘度及び／又は濃度、ノズル流速並びにノズル特性の慎重な選択が、こうした問題を最小限に抑えることができることを認識した。したがって、本出願人は、所望の保護及び放出効果を提供する粒子をもたらすプロセスを開示する。
【課題を解決するための手段】
【０００４】
本出願は、コアと該コアを封入するシェルとを含む封入有益剤を製造するために使用され得るプロセス、こうしたプロセスによって製造される封入有益剤、及びこうした封入有益剤を含む製品並びにこうした製品の製造及び使用法に関する。かかるプロセスは、種々の製品で使用する際に所望の保護及び放出効果を提供する粒子を製造するために使用することができる。
【発明を実施するための形態】
【０００５】
用語の定義
本明細書で使用するとき、「消費者製品」は、販売される形態での使用を一般に意図する、ベビーケア、ビューティケア、衣類及びホームケア、ファミリーケア、フェミニンケア、ヘルスケア製品、又はデバイスを意味する。このような製品としては、おむつ、よだれ掛け、ワイプ類；脱色、着色、染色、コンディショニング、シャンプー、スタイリングなどの毛髪（ヒト、イヌ、及び／若しくはネコ）処理用製品及び／又はその処理に関する方法；脱臭剤及び制汗剤；パーソナルクレンジング；化粧品；クリーム、ローション、及び高級芳香剤を含む消費者使用のための他の局所塗布製品などのスキンケア；並びにシェービング製品；エアフレッシュナー及び香り送達系、自動車ケア、食器洗浄、布地コンディショニング（柔軟化及び／若しくはフレッシュニングを含む）、洗濯洗浄、洗濯及びすすぎ添加剤及び／又はケア、床及び便器クリーナーなどの硬質表面の洗浄及び／又は処理、並びに消費者用又は業務用の他の洗浄剤を含む、布地及びホームケアの領域のうちの布地、硬質表面及び任意の他の表面の処理用製品及び／又はその処理に関する方法；トイレットペーパー、顔用ティッシュペーパー、紙ハンカチ、及び／又は紙タオルなどの製品及び／又はそれに関する方法；タンポン、生理用ナプキン；歯磨き剤、歯磨きゲル、歯すすぎ剤、義歯接着剤、歯白化剤を含む口腔ケアなど製品及び／又はそれに関する方法；店頭販売ヘルスケア製品、例えば風邪薬及び鎮咳剤、鎮痛剤、ＲＸ医薬品が挙げられるが、これらに限定されない。
【０００６】
本明細書で使用するとき、用語「洗浄及び／又は処理組成物」は、特に断りのない限り、ビューティケア、布地及びホームケア製品を包含する消費者製品の部分集合ある。このような製品としては、限定するものではないが、脱色、着色、染色、コンディショニング、シャンプー、スタイリングなどの毛髪（ヒト、イヌ及び／若しくはネコ）処理用製品；脱臭剤及び制汗剤；パーソナルクレンジング；化粧品；クリーム、ローション、及び高級芳香剤を含む消費者使用のための他の局所塗布製品などのスキンケア；シェービング製品；エアフレッシュナー及び香り送達系、自動車ケア、食器洗浄、布地コンディショニング（柔軟化及び／若しくはフレッシュニングを含む）、洗濯洗浄、洗濯及びすすぎ添加剤及び／又はケア、床及び便器クリーナーなどの硬質表面の洗浄及び／又は処理、粒状若しくは粉末形態の、汎用若しくは「強力」洗浄剤、特に洗濯洗剤などの布地、布地及びホームケアの領域のうちの布地、硬質表面及び任意の他の表面の処理用製品；液体、ゲル又はペースト形態の汎用洗浄剤、特にいわゆる強力液体タイプ；高級布地用液体洗剤；手洗い用食器洗剤又は低負荷用食器洗剤、特に高発泡型のもの；家庭用及び業務用の様々なタブレット、粒、液体及びすすぎ補助型などの機械用食器洗剤；抗菌手洗い型、洗浄バー、マウスウォッシュ、義歯洗浄剤、歯磨き、自動車若しくはカーペットシャンプー、便器クリーナーを含む浴室洗剤などの、液体の洗剤及び消毒剤；ヘアシャンプー及びヘアリンス；シャワーゲル、高級芳香剤及び発泡入浴剤及び金属洗浄剤；並びに、漂白添加剤、及び「ステインスティック」などのクリーニング補助剤、又はドライヤー付与シート、乾燥及び湿潤型拭取り布及びパッドなどの前処理型基材付与製品、不織基材、及びスポンジ；並びに、全ての消費者用及び／又は業務用のスプレー剤、及びミスト剤；並びに／あるいは、練り歯磨き、歯用ゲル、歯用リンス、義歯接着剤、歯のホワイトニングなどの口腔ケアに関する方法が挙げられる。
【０００７】
本明細書で使用するとき、用語「布地及び／又は硬質表面の洗浄及び／又は処理組成物」は、特に断りのない限り、粒状若しくは粉末形態の、汎用若しくは「強力」洗浄剤、特に洗濯洗剤；液体、ゲル若しくはペースト形態の汎用洗浄剤、特にいわゆる強力液体タイプ；高級布地用液体洗剤；手洗い用食器洗剤又は低負荷用食器洗剤、特に高発泡型のもの；家庭用及び業務用の様々なタブレット、粒、液体及びすすぎ補助型などの機械用食器洗剤；抗菌手洗い型、洗浄バー、自動車若しくはカーペットシャンプー、便器クリーナーを含む浴室洗剤などの、液体の洗剤及び消毒剤；並びに、金属洗浄剤、液体、固体及び／若しくは乾燥シート形態であり得る柔軟剤及び／又はフレッシュニング剤を含む布地コンディショニング剤；並びに、漂白添加剤及び「ステインスティック」などのクリーニング補助剤、又は、ドライヤー付与シート、乾燥及び湿潤型拭取り布及びパッドなどの前処理型基材付与製品、不織基材、及びスポンジ；並びに、スプレー剤及びミスト剤が挙げられる、洗浄及び処理組成物の部分集合である。適用可能であるこのような製品の全ては、標準形態、濃縮形態あり得、又は更には特定の態様ではこのような製品が非水性あり得る程度に高濃縮された形態あり得る。
【０００８】
本明細書で使用するとき、請求項において使用される「ａ」及び「ａｎ」などの冠詞は、請求される又は記載される１つ又は２つ以上のものを意味すると理解される。
【０００９】
本明細書において使用するとき、「含む（include）」、「含む（includes）」、及び「含んでいる（including）」は、非限定的であることを意味する。
【００１０】
本明細書で使用するとき、用語「固体」は、顆粒、粉末、バー及び錠剤の製品形態を含む。
【００１１】
本明細書で使用するとき、用語「流体」は、液体、ゲル、ペースト及びガスの製品形態を含む。
【００１２】
本明細書で使用するとき、用語「部位」は、紙製品、布地、衣服、硬質表面、毛髪、及び皮膚を含む。
【００１３】
別途記載のない限り、成分又は組成物の濃度は全て、当該成分又は組成物の活性部分に関するものであり、このような成分又は組成物の市販の供給源に存在し得る不純物、例えば、残留溶媒又は副生成物は除外される。
【００１４】
別途明示する場合を除き、パーセント及び比はすべて、重量によって計算する。別途明示する場合を除き、パーセント及び比はすべて、組成物全量に基づいて計算する。
【００１５】
本明細書の全体を通じて与えられるすべての最大の数値限定は、それよりも小さい数値限定を、そのようなより小さい数値限定があたかも本明細書に明示的に記載されているかのように包含するものと理解すべきである。本明細書全体を通して記載されるすべての最小数値限定は、それよりも高い数値限定を、そのようなより高い数値限定ががあたかも本明細書に明示的に記載されているかのように包含する。本明細書全体を通して記載されるすべての数値範囲は、より狭い数値範囲が本明細書にすべて明示的に記載されているかのように、このようなより広い数値範囲内のすべてのより狭い数値範囲を含む。
【００１６】
封入有益剤
一態様において、約６％〜約５０％、約８％〜約３５％又は更には約１２％〜約２５％の集合体直径の変異係数を有する封入有益剤の集合体であって、封入有益剤の該集合体は、約３マイクロメートル〜約３００マイクロメートル、約５マイクロメートル〜約２４０マイクロメートル又は更には約１０マイクロメートル〜約１２０マイクロメートルの平均直径を有する封入有益剤を含むことができ、該封入有益剤は、コアと、該コアを封入するシェルとを含むことができ、該シェルは、ポリマーを含み、一態様ではこれはフィルム形成ポリマーであり、該シェルは、約０．５マイクロメートル〜約１５マイクロメートル、約１マイクロメートル〜約８マイクロメートル又は更には約１．５マイクロメートル〜約６マイクロメートルの厚さと、約２％〜約３０％、約４％〜約２５％又は更には約６％〜約２０％のシェル厚さ変異係数とを有する、封入有益剤の集合体が開示される。
【００１７】
一態様において、該コアは、香料、色相剤、光沢剤、シリコーン、酵素及びこれらの混合物からなる群から選択される材料を含んでもよい。
【００１８】
一態様では、
ａ）該香料は、プロパ−２−エニル３−シクロヘキシルプロパノエート、（４ａＲ，５Ｒ，７ａＳ，９Ｒ）−オクタヒドロ−２，２，５，８，８，９ａ−ヘキサメチル−４ｈ−４ａ，９−メタノアズレノ（５，６−ｄ）−１，３−ジオキソール、（３ａＲ，５ａＳ，９ａＳ，９ｂＲ）−３ａ，６，６，９ａ−テトラメチル−２，４，５，５ａ，７，８，９，９ｂ−オクタヒドロ−１Ｈ−ベンゾ［ｅ］［１］ベンゾフラン、４−メトキシベンズアルデヒド、ベンジル２−ヒドロキシベンゾエート、２−メトキシナフタレン、３−（４−ｔｅｒｔ−ブチルフェニル）プロパノール、３ａ，６，６，９ａ−テトラメチル−２，４，５，５ａ，７，８，９，９ｂ−オクタヒドロ−１Ｈ−ベンゾ［ｅ］［１］ベンゾフラン、３，７−ジメチルオクタ−６−エン−１−オール、３，７−ジメチルオクタ−６−エンニトリル、３−（４−ｔｅｒｔ−ブチルフェニル）ブタナール、３−（４−プロパン−２−イルフェニル）ブタナール、（Ｅ）−１−（２，６，６−トリメチル−１−シクロヘキサ−１，３−ジエニル）ブタ−２−エン−１−オン、デカナール、（Ｅ）−１−（２，６，６−トリメチル−１−シクロヘキサ−３−エニル）ブタ−２−エン−１−オン、（Ｅ）−３−メチルシクロペンタデカ−５−エン−１−オン、２，６−ジメチルオクト−７−エン−２−オール、エチル２−メチルペンタノエート、エチル２−メチルブタノエート、１，３，３−トリメチル−２−オキサビシクロ［２，２，２］オクタン、２−メトキシ−４−プロパ−２−エニルフェノール、３ａ，４，５，６，７，７ａ−ヘキサヒドロ−４，７−メタノ−１Ｈ−インデニルアセテート、３−（３−プロパン−２−イルフェニル）ブタナール、ａ，４，５，６，７，７ａ−ヘキサヒドロ−１Ｈ−４，７−メタノインデン−１−イルプロパノエート、（２Ｅ）−３，７−ジメチルオクタ−２，６−ジエン−１−オール、（１２Ｅ）−１−オキサシクロヘキキサデカ−１２−エン−２−オン、［２−［１−（３，３−ジメチルシクロヘキシル）エトキシ］−２−メチルプロピル］プロパノエート、ヘキシルアセテート、２−（フェニルメチリデン）オクタナール、ヘキシル−２−ヒドロキシベンゾエート、（Ｅ）−４−（２，６，６−トリメチル−１−シクロヘキサ−２−エニル）ブタ−３−エン−２−オン、（Ｅ−４−（２，６，６−トリメチル）−１−シクロヘキセニル）ブタ−３−エン−２−オン、（Ｅ）−３−メチル−４−（２，６，６−トリメチル−１−シクロヘキサ−２−エニル）ブタ−３−エン−２−オン、１−（２，３，８，８−テトラメチル−１，３，４，５，６，７−ヘキサヒドロナフタレン−２−イル）エタノン、プロパン−２−イル２−メチルブタノエート、（１Ｒ，２Ｓ，５Ｒ）−５−メチル−２−プロパン−２−イルシクロヘキサン−１−オール、（Ｅ）−２−エチル−４−（２，２，３−トリメチル−１−シクロペンタ−３−エニル）ブタ−２−エン−１−オール、２，４−ジメチルシクロヘキサ−３−エン−１−カルバルデヒド、３，７−ジメチルオクタ−１，６−ジエン−３−オール、３，７−ジメチルオクタ−１，６−ジエン−３−イルアセテート、１−（（３Ｒ，３ａＳ，７Ｒ，８ａＳ）−２，３，４，７，８，８ａ−ヘキサヒドロ−３，６，８，８−テトラメチル−１Ｈ−３ａ，７−メタノアズレン−５−イル）−エタノン、メチル−３−オキソ−２−ペンチルシクロペンタンアセテート、２−メチルウンデカナール、２−［２−（４−メチル−１−シクロヘキサ−３−エニル）プロピル］シクロペンタン−１−オン、１−（５，５−ジメチル−１−シクロヘキセニル）ペンタ−４−エン−１２−オン、２−シクロヘキシリデン−２−フェニルアセトニトリル、２−フェニルエタノール、３，７−ジメチルオクタン−３−オール、５−ヘプチルオキソラン−２−オン、（２−ｔｅｒｔ−ブチルシクロヘキシル）アセテート、（Ｅ）−４−メチルデカ−３−エン−５−オール、（４−ｔｅｒｔ−ブチルシクロヘキシル）アセテート、デカヒドロ−２，２，６，６，７，８，８−ヘプタメチル−２Ｈ−インデノ（４，５−ｂ）フラン、１７−オキサシクロヘプタデカ−６−エン−１−オン、ペンチル２−ヒドロキシベンゾエート、ベンジルアセテート、４−フェニルブタン−２−オン、２−メトキシナフタレン、１，７，７−トリメチルビシクロ［２．２．１］ヘプタン−２−オン、１，１，２，３，３−ペンタメチル−２，５，６，７−テトラヒドロ−インデン−４−オン、１Ｈ−３ａ，７−メタノアズレン、オクタヒドロ−６−メトキシ−３，６，８，８−テトラメチル、［（Ｚ）−ヘキサ−３−エニル］アセテート、［（Ｚ）−ヘキシ−３−エニル］２−ヒドロキシベンゾエート、（９Ｚ）−シクロヘプタデカ−９−エン−１−オン、クロメン−２−オン、シクロヘキシル２−ヒドロキシベンゾエート、エチル３−メチル−３−フェニルオキシラン−２−カルボキシレート、３−エトキシ−４−ヒドロキシベンズアルデヒド、１，４−ジオキサシクロヘプタデカン−５，１７−ジオン、１６−オキサシクロヘプタデカン−１−オン、ジエチルシクロヘキサン−１，４−ジカルボキシレート、１−（５，５−ジメチル−１−シクロヘキセニル）ペンタ−４−エン−１−オン、［（２Ｅ）−３，７−ジメチルオクタ−２，６−ジエニル］アセテート、３−（１，３−ベンゾジオキソール−５−イル）−２−メチルプロパノール、１，３−ベンゾジオキソール−５−カルバルデヒド、６−（ペント−３−エン−１−イル）テトラヒドロ−２Ｈ−ピラン−２−オン、［（１Ｒ，２Ｓ）−１−メチル−２−［［（１Ｒ，３Ｓ，５Ｓ）−１，２，２−トリメチル−３−ビシクロ［［３．１．０］ヘキサニル］メチル］シクロプロピル］メタノール、（Ｚ）−３，４，５，６，６−ペンタメチル−ヘプタ−３−エン−２−オン、ドデカナール、３，７−ジメチルノナ−２，６−ジエンニトリル、（２Ｓ）−２−アミノペンタンジオン酸、メチル２，４−ジヒドロキシ−３，６−ジメチルベンゾエート、２，６−ジメチルオクタ−７−エン−２−オール、４−（４−ヒドロキシ−４−メチルペンチル）シクロヘキサ−３−エン−１−カルバルデヒド、１−ナフタレン−２−イルエタノン、４−メチル−２−（２−メチルプロパ−１−エニル）オキサン、１Ｈ−インデン−ａｒ−プロパナール、２，３−ジヒドロ−１，１−ジメチル−（９ＣＩ）、ノナナール、オクタナール、２−フェニルエチル２−フェニルアセテート、３−メチル−５−フェニルペンタン−１−オール、４−メチル−２−（２−メチルプロピル）オキサン−４−オール、１−オキサシクロヘプタデカン−２−オン、１−（スピロ［４．５］デカ−７−イル）ペント−４−エン−１−オン、２−（４−メチル−１−シクロヘキサ−３−エニル）プロパン−２−オール、１−メチル−４−プロパン−２−イリデンシクロヘキセン、（４−メチル−１−プロパン−２−イル−１−シクロヘキサ−２−エニル）アセテート、１，２−ジメチルシクロヘキサ−３−エン−１−カルバルデヒド、ウンデカ−１０−エナール、［（４Ｚ）−１−シクロオクタ−４−エニル］メチルアカルボネート、８−メチル−１，５−ベンゾジオキセピン−３−オン、ノナ−２，６−ジエナール、（５Ｚ）−シクロヘキサデカ−５−エン−１−オン、２，６，１０−トリメチルウンデカ−９−エナール、プロパ−２−エニルヘキサノエート、（Ｅ）−１−（２，６，６−トリメチル−１−シクロヘキサ−２−エニル）ブタ−２−エン−１−オン、３−フェニルプロパ−２−エン−１−オール、３，７−ジメチルオクタ−２，６−ジエナール、３，７−ジメチルオクタ−６−エニルアセテート、［２−（２−メチルブタン−２−イル）シクロヘキシル［アセテート、３ａ，４，５，６，７，７ａ−ヘキサヒドロ−４，７−メタノ−１Ｈ−インデン−５−イル２−メチルプロパノエート、２−ペンチルシクロペンタン−１−オール、（Ｅ）−デカ−４−エナール、２−ペンチルシクロペンタン−１−オン、２−メトキシ−４−プロピルフェノール、メチル２−ヘキシル−３−オキソシクロペンタン−１−カルボキシレート、フェノキシベンゼン、エチル３−フェニルプロパ−２−エノエート、（Ｅ）−２−エチル−４−（２，２，３−トリメチル−１−シクロペンタ−３−エニル）ブタ−２−エン−１−オール、３−（４−エチルフェニル）−２，２−ジメチル−プロパナール、４−メチル−２−（２−メチルプロピル）オキサン−４−オール、２−メチルデカンニトリル、５−ヘキシルオキソラン−２−オン、５−（ジエトキシメチル）−１，３−ベンゾジオキソール、７−ヒドロキシ−３，７−ジメチルオクタナール、（Ｅ）−４−（２，５，６，６−テトラメチル−１−シクロヘキサ−２−エニル）ブタ−３−エン−２−オン、［（１Ｒ，４Ｓ，６Ｒ）−１，７，７−トリメチル−６−ビシクロ［２．２．１］ヘプタニル］アセテート、６−ブタン−２−イルキノリン、２−メトキシ−４−プロパ−１−エン−２−イルフェノール、（ＮＥ）−Ｎ−［（６Ｅ）−２，４，４，７−テトラメチルノナ−６，８−ジエン−３−イリデン］ヒドロキシルアミン、（４−プロパン−２−イルシクロヘキシル）−メタノール、２，６−ジメチルヘプタ−５−エナール、１Ｒ，２Ｓ，５Ｒ）−５−メチル−２−プロパン−２−イルシクロヘキサン−１−オール、エチル２−（２−メチル−１，３−ジオキソラン−２−イル）アセテート、１−フェニルエチルアセテート、１−（３，５，５，６，８，８−ヘキサメチル−６，７−ジヒドロナフタレン−２−イル）エタノン、６−ブチルオキサン−２−オン、２，４−ジメチル−２−（５，６，７，８−テトラヒドロ−５，５，８，８−テトラメチル−２−ナフタレニル）−１，３−ジオキソラン、（２Ｒ，４Ｓ）−２−メチル−４−プロピル−１，３−オキサチアン、４−（４−ヒドロキシフェニル）ブタン−２−オン、３−メチル−５−フェニルペンタン−１−オール、４−（（１Ｒ，５Ｓ）−６，６−ジメチルビシクロ［３．１．１］ヘプタ−２−エン−２−イル）−３，３−ジメチルブタン−２−オン、３−メチルブタ−２−エニルアセテート、デカ−９−エン−１−オール、５−（３−メチルフェニル）ペンタン−１−オール、３，７−ジメチルオクタン−３−オール、１−メトキシ−４−［（Ｅ）−プロパ−１−エニル］ベンゼン、４−ヒドロキシ−３−メトキシベンズアルデヒド、９−アセチル−２，６，６，８−テトラメチルトリシクロ［５．３．１．０１，５］ウンデカ−８−エン、２，５−ジオキサシクロヘキサ−デカン−１，６−ジオン及びこれらの混合物からなる群から選択される材料を含んでもよい。
ｂ）該色相剤は、小分子染料、ポリマー染料、染料粘土結合体、顔料又はこれらの混合物からなる群から選択される材料を含んでもよい。
ｃ）該光沢剤は、４，４’−ビス−（２−スルホスチリル）ビフェニル二ナトリウム；ベンゼンスルホン酸；２，２’−（１，２−エテンジイル）ビス［５−［４−［（２−ヒドロキシエチル）メチルアミノ］−６−（フェニルアミノ）−１，３，５−トリアジン−２−イル（ｙ）］アミノ］−，二ナトリウム塩；４，４’−ビス｛［４，４−アニリノ−６−［ビス（２−ヒドロキシエチル）アミノ−ｓ−トリアジン−２イル］−アミノ｝−２，２’−スチルベンジスルホン酸二ナトリウム；４，４’−ビス［（４−アニリノ−６−（Ｎ−２−ヒドロキシエチル−Ｎ−メチルアミノ）−ｓ−トリアジン−２−イル）アミノ］２，２’−スチルベンジスルホン酸二ナトリウム；４，４’−ビス｛［４−アニリノ−６−メチルアミノ−ｓ−トリアジン−２−イル］−アミノ｝−２，２’−スチルベンジスルホン酸二ナトリウム；４，４”−ビス［４，６−ジ−アニリノ−ｓ−トリアジン−２−イル］−２，２’−スチルベンジスルホン酸二ナトリウム；４，４’−ビス｛［４−アニリノ−６−モルホリノ−ｓ−トリアジン−２−イル｝−アミノ｝−２，２’−スチルベンジスルホン酸二ナトリウム及びこれらの混合物の群から選択される材料を含んでもよい。
ｄ）該シリコーンは、非官能性シロキサンポリマー、官能性シロキサンポリマー、シリコーン樹脂、シリコーン溶媒、環式シリコーン及びこれらの混合物からなる群から選択される材料を含んでもよい。
ｅ）該酵素は、ペルオキシダーゼ、プロテアーゼ、リパーゼ、ホスホリパーゼ、セロビオヒドロラーゼ、セルビオースデヒドロゲナーゼ、エステラーゼ、クチナーゼ、ペクチナーゼ、マンナナーゼ、ペクチン酸リアーゼ、ケラチナーゼ、還元酵素、オキシダーゼ、フェノールオキシダーゼ、リポキシゲナーゼ、リグニナーゼ、プルラナーゼ、タンナーゼ、ペントサナーゼ、グルカナーゼ、アラビノシダーゼ、ヒアルロニダーゼ、コンドロイチナーゼ、ラッカーゼ、アミラーゼ、及びこれらの混合物からなる群から選択される材料を含んでもよい。
【００１９】
一態様では、
ａ）該小分子染料は、カラーインデックス分類において、ダイレクト・ブルー、ダイレクト・レッド、ダイレクト・バイオレット、アシッド・ブルー、アシッド・レッド、アシッド・バイオレット、ベーシック・ブルー、ベーシック・バイオレット及びベーシック・レッド、又はそれらの混合物からなる群から選択される材料を含んでもよい。
ｂ）該ポリマー染料は、結合した色原体を含むポリマー（染料−ポリマー結合体）、ポリマーの骨格に共重合した色原体を有するポリマー及びこれらの混合物からなる群から選択されるポリマー染料を含んでもよい。
ｃ）該染料粘土結合体は、少なくとも１つのカチオン性／塩基性染料及びスメタイト粘土、並びにこれらの混合物を含んでもよい。
ｄ）該非官能性シリコーンポリマーは、ポリジメチルシロキサン、ジメチコン、ジメチコノール、ジメチコン架橋ポリマー、フェニルトリメチコン、アルキルジメチコン、ラウリルジメチコン、ステアリルジメチコン、フェニルジメチコン、フェニルプロピル置換ジメチコン及びこれらの混合物を含んでもよい。
ｅ）該官能性シロキサンポリマーは、アミノシリコーン、アミドシリコーン、シリコーンポリエーテル、シリコーン−ウレタンポリマー、四級ＡＢｎシリコーン、アミノＡＢｎシリコーン、及びこれらの混合物を含んでもよい。
【００２０】
一態様において、該色相剤は、布地に補色を添加することにより布地の黄変した外観を補償することによって、汚れた白い衣類の外観の白色度を改善し又は外観の白色度を保存するよう作用し、これによって黄ばみが低減するか、又は全く目立たなくなる。水溶性の青色及び紫色染料が通常使用される。適切な色相染料としては、以下が挙げられる。（ａ）ダイレクトブルー、ダイレクトレッド、ダイレクトバイオレット、アシッドブルー、アシッドレッド、アシッドバイオレット、ベーシックブルー、ベーシックバイオレット及びベーシックレッドのカラーインデックス分類に入る染料、又はこれらの混合物からなる群から選択される小分子染料、例えば、ダイレクトバイオレットカラーインデックス（Ｓｏｃｉｅｔｙ  ｏｆ  Ｄｙｅｒｓ  ａｎｄ  Ｃｏｌｏｕｒｉｓｔｓ（Ｂｒａｄｆｏｒｄ，ＵＫ））番号のダイレクトバイオレット９、ダイレクトバイオレット３５、ダイレクトバイオレット４８、ダイレクトバイオレット５１、ダイレクトバイオレット６６、ダイレクトブルー１、ダイレクトブルー７１、ダイレクトブルー８０、ダイレクトブルー２７９、アシッドレッド１７、アシッドレッド７３、アシッドレッド８８、アシッドレッド１５０、アシッドバイオレット１５、アシッドバイオレット１７、アシッドバイオレット２４、アシッドバイオレット４３、アシッドバイオレット４９、アシッドブルー１５、アシッドブルー１７、アシッドブルー２５、アシッドブルー２９、アシッドブルー４０、アシッドブルー４５、アシッドブルー７５、アシッドブルー８０、アシッドブルー８３、アシッドブルー９０及びアシッドブルー１１３、アシッドブラック１、ベーシックバイオレット１、ベーシックバイオレット３、ベーシックバイオレット４、ベーシックバイオレット１０、ベーシックバイオレット３５、ベーシックブルー３、ベーシックブルー１６、ベーシックブルー２２、ベーシックブルー４７、ベーシックブルー６６、ベーシックブルー７５、ベーシックブルー１５９、アシッドバイオレット１７、アシッドバイオレット４３、アシッドレッド７３、アシッドレッド８８、アシッドレッド１５０、アシッドブルー２５、アシッドブルー２９、アシッドブルー４５、アシッドブルー１１３、アシッドブラック１、ダイレクトブルー１、ダイレクトブルー７１並びにダイレクトバイオレット５１である。（ｂ）ポリマー染料としては、共有結合色原体を含むポリマー（染料−ポリマー複合体）、及び、色原体がそのポリマーの主鎖に共重合したポリマー、並びにこれらの混合物からなる群から選択されたポリマー染料（例えば、Ｌｉｑｕｉｔｉｎｔ（登録商標）（Ｍｉｌｌｉｋｅｎ  Ｓｐａｒｔａｎｂｕｒｇ，Ｓｏｕｔｈ  Ｃａｒｏｌｉｎａ，ＵＳＡ）の名称で販売されている布地直接染着性色素）、少なくとも１つの反応染料と、ヒドロキシル部分、第１アミン部分、第２アミン部分、チオール部分及びこれらの混合物からなる群から選択された部分を含むポリマーからなる群から選択されたポリマーとから形成された染料−ポリマー複合体からなる群から選択されたポリマー染料が挙げられる。更に別の態様では、好適なポリマー染料としては、Ｌｉｑｕｉｔｉｎｔ（登録商標）（Ｍｉｌｌｉｋｅｎ，Ｓｐａｒｔａｎｂｕｒｇ，Ｓｏｕｔｈ  Ｃａｒｏｌｉｎａ，ＵＳＡ）バイオレットＣＴ、リアクティブブルー、リアクティブバイオレット、又はリアクティブレッド染料で結合されているカルボキシメチルセルロース（ＣＭＣ）、（例えば、Ｍｅｇａｚｙｍｅ（Ｗｉｃｋｌｏｗ、Ｉｒｅｌａｎｄ）からアゾ−ＣＭ−セルロースという製品名（製品コードＳ−ＡＣＭＣ）で販売されているＣ．Ｉ．リアクティブブルー１９で結合されているＣＭＣなど）、及びこれらの混合物からなる群から選択されるポリマー染料が挙げられる。（ｃ）染料粘土結合体としては、少なくとも１種のカチオン性／塩基性染料及びスメクタイト粘土、並びにこれらの混合物からなる群から選択される染料粘土結合体が挙げられる。（ｄ）ウルトラマリンブルー（Ｃ．Ｉ．顔料ブルー２９）、ウルトラマリンバイオレット（Ｃ．Ｉ．顔料バイオレット１５）、及びこれらの混合物等の顔料。更に、このような色相剤の好適な例、及び使用濃度は、米国特許第５，７７０，５５２号、同第４，９１２，２０３号及び米国特許出願第２０１１／０１２４８３７  Ａ１号に見られ、これらは参照により組み込まれる。
【００２１】
本発明において有用な、染料転移抑止作用も提供することができる非限定的な光沢剤には、以下の一般構造式を有するものが挙げられる。
【００２２】
【化１】
2016525929.tif 000002
式中、Ｒ１は、アニリノ、Ｎ−２−ビス−ヒドロキシエチル及びＮＨ−２−ヒドロキシエチルから選択され；Ｒ２は、Ｎ−２−ビス−ヒドロキシエチル、Ｎ−２−ヒドロキシエチル−Ｎ−メチルアミノ、モルフィリノ、クロロ及びアミノから選択され；Ｍは、ナトリウム又はカリウムのような塩を形成するカチオンである。
【００２３】
上式において、Ｒ１がアニリノであり、Ｒ２がＮ−２−ビス−ヒドロキシエチルであり、Ｍがナトリウムのようなカチオンである場合、光沢剤は４，４’−ビス［（４−アニリノ−６−（Ｎ−２−ビス−ヒドロキシエチル）−ｓ−トリアジン−２−イル）アミノ］−２，２’−スチルベンジスルホン酸及び二ナトリウム塩である。この特定の光沢剤種は、Ｃｉｂａ  Ｓｐｅｃｉａｌｔｙ  Ｃｈｅｍｉｃａｌｓ  Ｃｏｒｐｏｒａｔｉｏｎにより商標名Ｔｉｎｏｐａｌ  ＵＮＰＡ−ＧＸ（登録商標）として市販されている。
【００２４】
上式において、Ｒ１がアニリノであり、Ｒ２がＮ−２−ヒドロキシエチル−Ｎ−２−メチルアミノであり、Ｍがナトリウムのようなカチオンである場合、光沢剤は４，４’−ビス［（４−アニリノ−６−（Ｎ−２−ヒドロキシエチル−Ｎ−メチルアミノ）−ｓ−トリアジン−２−イル）アミノ］２，２’−スチルベンジスルホン酸二ナトリウム塩である。この特定の光沢剤種は、Ｃｉｂａ  Ｓｐｅｃｉａｌｔｙ  Ｃｈｅｍｉｃａｌｓ  Ｃｏｒｐｏｒａｔｉｏｎにより商標名Ｔｉｎｏｐａｌ  ５ＢＭ−ＧＸ（登録商標）として市販されている。
【００２５】
上式において、Ｒ１がアニリノであり、Ｒ２がモルフィリノであり、Ｍがナトリウムのようなカチオンである場合、光沢剤は４，４’−ビス［（４−アニリノ−６−モルフィリノ−ｓ−トリアジン−２−イル）アミノ］２，２’−スチルベンジスルホン酸のナトリウム塩である。この特定の光沢剤種は、Ｃｉｂａ  Ｓｐｅｃｉａｌｔｙ  Ｃｈｅｍｉｃａｌｓ  Ｃｏｒｐｏｒａｔｉｏｎにより商標名Ｔｉｎｏｐａｌ  ＡＭＳ−ＧＸ（登録商標）として市販されている。いくつかの好ましいが非限定的な光沢剤は、以下に示されている。
【００２６】
【表１−１】
2016525929.tif 000003
【００２７】
【表１−２】
2016525929.tif 000004
【００２８】
一態様において、Ｔｉｎｏｐａｌ  ＣＢＳ−Ｘ光沢剤が、その良好な安定性及び洗濯における性能のために特に好ましい。
【００２９】
１つの態様において、該シリコーンはＳｉ−Ｏ部分を含み、（ａ）無官能性シロキサンポリマー、（ｂ）官能性シロキサンポリマー、及びこれらの組み合わせから選択され得る。有機シリコーンの分子量は、通常、物質の粘度をを参照することによって示される。一態様において、有機シリコーンは、２５℃において約１ｃＰｓ〜約２，０００，０００ｃＰｓの、約５ｃＰｓ〜約８００，０００ｃＰｓの、又は更には約１０ｃＰｓ〜約３００，０００ｃＰｓの、又は更には約５０ｃＰｓ〜約５０，０００ｃＰｓの粘度を有し得る。一態様において、好適な有機シリコーン又はそれらの混合物は、２５℃において、約１０ｃＰｓ〜約１０，０００ｃｓＰ、又は約５０ｃＰｓ〜約１，０００ｃＰｓ、又は更には約８０ｃＰｓ〜約６００ｃＰｓの粘度を有してよい。
【００３０】
特にシリコーン物質及びシリコーン樹脂は、「ＭＤＴＱ」命名法として当業者に既知の省略命名法のシステムによって便利に同定することができる。このシステムでは、シリコーンは、シリコーンを構成する様々なシロキサンモノマー単位の存在によって記載される。つまり、記号Ｍは一官能性単位（ＣＨ３）３ＳｉＯ０．５を示し、Ｄは二官能性単位（ＣＨ３）２ＳｉＯを示し、Ｔは三官能性単位（ＣＨ３）ＳｉＯ１．５を示し、Ｑは四又は五官能性単位ＳｉＯ２を示す。単位記号のプライム符号（例えば、Ｍ’、Ｄ’、Ｔ’、及びＱ’）は、メチル以外の置換基を示し、出現の度に具体的に定義されなければならない。
【００３１】
好適な有機シリコーンは、線状、分岐状、又は架橋状であってもよい。一態様において、有機シリコーンはシリコーン樹脂を含み得る。シリコーン樹脂は、高度に架橋したポリマーシロキサン系である。架橋が、シリコーン樹脂の製造中に三官能性及び四官能性シランを一官能性又は二官能性又はその両方のシランと共に組み込むことによって導入される。本明細書で使用するとき、専門用語ＳｉＯ「ｎ」／２は、酸素原子とケイ素原子との比を表す。例えば、ＳｉＯ１／２は、１つの酸素が２つのＳｉ原子間で共有されていることを意味する。同様に、ＳｉＯ２／２は、２つの酸素原子が２つのＳｉ原子間で共有されていることを意味し、ＳｉＯ３／２は、３つの酸素原子が２つのＳｉ原子間で共有されることを意味する。
【００３２】
一態様では、有機シリコーンは、ポリジメチルシロキサン、ジメチコン、ジメチコノール、ジメチコンクロスポリマー、フェニルトリメチコン、アルキルジメチコン、ラウリルジメチコン、ステアリルジメチコン、フェニルジメチコン、フェニルプロピル置換ジメチコン及びこれらの混合物を含んでもよい。
【００３３】
一態様においては、有機シリコーンは、環式シリコーンを含み得る。環式シリコーンは、式［（ＣＨ３）２ＳｉＯ］ｎ（ｎは、約３〜約７、又は約５〜約６の範囲であり得る整数である）のシクロメチコンを含んでもよい。
【００３４】
一態様において、有機シリコーンは、官能化シロキサンポリマーを含んでもよい。官能化シロキサンポリマーは、アミノ、アミド、アルコキシ、ヒドロキシ、ポリエーテル、カルボキシ、ヒドリド、メルカプト、サルフェート、ホスフェート、及び／又は四級アンモニウム部分からなる群から選択される１つ以上の官能化部分を含んでもよい。これらの部分は、二価アルキレンラジカルを通してシロキサン主鎖に直接結合してもよく（即ち、「ペンダント」）、主鎖の一部であってもよい。好適な官能化シロキサンポリマーとしては、アミノシリコーン、アミドシリコーン、シリコーンポリエーテル、シリコーン−ウレタンポリマー、第四級ＡＢｎシリコーン、アミノＡＢｎシリコーン、及びこれらの混合物からなる群から選択される物質が挙げられる。
【００３５】
好適なシリコーンの非限定的な例は、Ｄｏｗ  Ｃｏｒｎｉｎｇ社からのＰｕｌｐａｉｄ（登録商標）３５００、Ｐｕｌｐａｉｄ（登録商標）３６００、Ｘｉａｍｅｔｅｒ（登録商標）ＡＣＰ−０００１、Ｘｉａｍｅｔｅｒ（登録商標）ＰＭＸ−０２４５及びＸｉａｍｅｔｅｒ（登録商標）ＰＭＸ−０２４６、Ｄｏｗ  ｃｏｒｎｉｎｇ（登録商標）ＦＳ１２６６；Ｗａｃｋｅｒ  Ｃｏｒｐ．からのＳｉｌｆｏａｍ（登録商標）ＳＤ  ８６０、Ｓｉｌｆｏａｍ（登録商標）ＳＤ  １６８、Ｓｉｌｆｏａｍ（登録商標）ＳＤ  ８５０、Ｓｉｌｆｏａｍ（登録商標）ＳＤ  ６５０、Ｓｉｌｆｏａｍ（登録商標）ＳＥ  ３６、Ｓｉｌｆｏａｍ（登録商標）ＳＥ  ３９、Ｓｉｌｆｏａｍ（登録商標）ＳＣ  １０９２、Ｓｉｌｆｏａｍ（登録商標）ＳＣ  １１３２、Ｓｉｌｆｏａｍ（登録商標）ＳＣ  １２９、Ｓｉｌｆｏａｍ（登録商標）ＳＣ  １３２、Ｓｉｌｆｏａｍ（登録商標）ＳＥ  ４７、Ｓｉｌｆｏａｍ（登録商標）ＳＲＥ及びＳｉｌｆｏａｍ（登録商標）ＳＥ  ９０；Ｇｏｌｄｓｃｈｍｉｄｔ社からのＴｅｇｏ  ３０６２；Ｔｒｉ−Ｃｈｅｍ  ＩｎｄｕｓｔｒｉｅｓからのＡＦ−１４０ＴＧ及びＴｒｉ−Ｌｕｂｅ−６０−ＰＲ；並びにＢａｓｉｌｄｏｎ  ＣｈｅｍｉｃａｌｓからのＡｎｔｉｆｏａｍ  ２２２６である。
【００３６】
一態様において、該シェルは、以下のポリマー１及び／又はポリマー２を含むシェル材料を含むことができ、該ポリマー１及びポリマー２は、それぞれ独立して、約５，０００Ｄａ〜約５００，０００Ｄａ、約１０，０００Ｄａ〜約３００，０００Ｄａ、又は更には約２０，０００Ｄａ〜約２４０，０００Ｄａの重量平均分子量を有する。
【００３７】
【化２】
2016525929.tif 000005
ポリマー１及びポリマー２については、
各ｎは、独立して、０〜４，０００までの整数であり、
ポリマー１中の全ての整数ｎの和は、約６０〜約７，０００の整数であり、ポリマー２中の全ての整数ｎの和は、約６０〜７，０００の整数であり、
ポリマー１及びポリマー２中の各Ｒ１は、独立して、以下からなる群から選択される。
【００３８】
【化３】
2016525929.tif 000006
式中、各ｃは、独立して０〜６０の整数であり、Ｒ２はそれぞれ独立して、以下からなる群から選択される。
【００３９】
【化４】
2016525929.tif 000007
式中、各ｘは、独立して、０〜６０の整数である。
【００４０】
一態様において、各Ｒ１は、独立して、以下からなる群から選択され得る。
【００４１】
【化５】
2016525929.tif 000008
【００４２】
一態様において、該シェル材料は、ポリ（ビニルアルコール）、ポリ（ビニルアセテート）、ポリ（ビニルピロリドン）、ポリ（ビニルアセテートフタレート）、ビニルアセテートネオデカノン酸コポリマー、ビニルアセテートエチレンコポリマー、ビニルアセテートクロトン酸ネオデカノエートコポリマー、ビニルアセテートクロトン酸コポリマー、ビニルアセテートブチルマレエートコポリマー、セルロースアセテート、セルロースアセテートフタレート、エチルセルロース、ヒドロキシプロピルメチルセルロースフタレート、セルロースアセテートブチレート、ビニルピロリドンビニルアセテートコポリマー、ポリ（スチレン−コ−マレイン酸）イソブチルエステル、ポリ（スチレン−コ−ブタジエン）、ポリ（スチレン−コ−アクリル）及びこれらの混合物を含み得る。
【００４３】
シェル材料の非限定的な例は、Ｖｉｎａｖｉｌ  Ｓ．ｐ．Ａ．，（Ｉｔａｌｙ）からのＶｉｎａｖｉｌ（登録商標）ＶＩＮ、Ｖｉｎａｖｉｌ（登録商標）６９１５、Ｖｉｎａｖｉｌ（登録商標）０３Ｖ、Ｖｉｎａｖｉｌ  ＥＶＡ（登録商標）０４及びＶｉｎａｖｉｌ（登録商標）ＣＲ５０；ＢＡＳＦ（Ｇｅｒｍａｎｙ）からのＬｕｖｉｓｅｔ（登録商標）ＣＡＮ、Ｌｕｖｉｓｅｔ（登録商標）ＣＡ６６及びＬｕｖｉｓｋｏｌ（登録商標）ＶＡ  ３７  Ｅ；Ｃｏｌｏｒｃｏｎ（Ｕ．Ｓ．Ａ）からのＳｕｒｅｔｅｒｉｃ（登録商標）及びＥｔｈｏｃｅｌ、Ｅｔ；Ｓｉｇｍａ−ＡｌｄｒｉｃｈからのＭｏｗｉｏｌ（登録商標）グレード；ＩＳＰ  ＣｈｅｍｉｃａｌｓからのＡｎｔａｒｏｎ−Ｇａｎｅｘ（登録商標）Ｖ−２２０Ｆ及びＡｎｔａｒｏｎ−Ｇａｎｅｘ（登録商標）ＷＰ−６６０、若しくはこれらの混合物を含み得る。
【００４４】
一態様において、該コア及び／又は該シェルは、粘度調節剤を含んでもよい。
【００４５】
一態様において、該粘度調節剤は、１００ｃＰｓ未満の、又は８０ｃＰｓ未満の、若しくは更には６０ｃＰｓ未満の粘度を有する、水溶性溶媒、水不溶性溶媒、シリコーン、香料原材料及び／又はこれらの混合物を含み得る。
【００４６】
いくつかの有益剤及び／又はシェル材料の溶液は、溶解又は分散後に高い粘度純度を有することができ、それゆえ、粘度調節剤などの特定の添加剤が、こうした有益剤及び／又はシェル材料のノズルを通しての流動を容易にするために、加工助剤としてコア及び／又はシェルに添加され得る。こうした粘度調節剤は、水溶性溶媒、水不溶性溶媒、香料原材料、シリコーン及び／又はこれらの混合物を含んでもよい。非限定例としては、エタノール、プロパノール、イソプロパノール、ｎ−プロパノール、ｎ−ブタノール、ｔ−ブタノール、プロピレングリコール、１，３−プロパンジオール、エチレングリコール、ジエチレングリコール、ジプロピレングリコール、１，２，３−プロパントリオール、プロピレンカーボネート、フェニルエチルアルコール、２−メチル−１，３−プロパンジオール、ヘキシレングリコール、グリセロール、ソルビトール、ポリエチレングリコール類、１，２−ヘキサンジオール、１，２−ペンタンジオール、１，２−ブタンジオール、１，４ブタンジオール、１，４−シクロヘキサンジメタノール、ピナコール、１，５−ヘキサンジオール、１，６−ヘキサンジオール、２，４−ジメチル−２，４−ペンタンジオール、２，２，４−トリメチル−１，３−ペンタンジオール（及びエトキシレート類）、２−エチル−１，３−ヘキサンジオール、フェノキシエタノール（及びエトキシレート類）、グリコールエーテル類、例えばブチルカルビトール及びジプロピレングリコール−ｎ−ブチルエーテル、エステル溶媒類、例えばアジピン酸、グルタル酸、及びコハク酸のジメチルエステル類、炭化水素類、例えば、デカン及びドデカン、デカメチルシクロペンタシロキサン、シクロヘキサシロキサン、エチル−２−メチルブタノエート、エチル−２−メチルブチレート、イソプロピルミリステート、エチル−２−メチルペンッタノエート、ヘキシルアセテート、アリルカプロエート、並びにこれらの混合物が挙げられる。
【００４７】
一態様において、本明細書開示したの封入有益剤の集合体と、補助成分とを含む製品が開示される。
【００４８】
一態様において、所望により部位を洗浄し、濯ぎ及び／又は乾燥させる工程と、該部位を該製品と接触させる工程と、その後所望により、該部位を洗浄し、すすぎ及び／又は乾燥させる工程を含む該製品の使用方法が開示される。
【００４９】
一態様において、該製品により処理される部位が開示される。
【００５０】
消費者製品の製造方法
封入有益剤及び補助材料を含む消費者製品を製造する該プロセスの一態様では、該プロセスは、同芯流フォーカシング（登録商標）ノズルを用いることにより、コア組成物及びシェル溶液を、約２５℃〜約１６０℃の温度においてチャンバ内で噴霧することによって封入体を製造する工程を含み得る。一態様において、該同芯流フォーカシングノズルは、約１００マイクロメートル〜約５００マイクロメートル、又は更には約２５０マイクロメートル〜約４００マイクロメートルの内径を有してもよい。一態様において、該同芯ノズルは、約２００マイクロメートル〜約１，０００マイクロメートル、約３５０マイクロメートル〜約８５０マイクロメートル、又は更には約５００マイクロメートル〜約７５０マイクロメートルの外径を有してもよい。一態様において、該封入有益剤は、該封入有益剤を更に加工することなく、製品中でそのまま使用される。一態様において、該封入有益剤は、これを消費者製品に添加する前に、前もって凝集又は液体中に分散されてもよい。
【００５１】
封入有益剤及び補助材料を含む消費者製品を製造する該プロセスの一態様では、該プロセスは、同芯流フォーカシング（登録商標）ノズルを用いることによりエマルションを製造する工程と、次いで、コア−シャエル封入有益剤が生成されるように、エマルションのシェル材料を反応させて、共有結合を形成する工程とを含む。一態様において、シェル材料は架橋される。一態様において、該同芯流フォーカシングノズルは、約１００マイクロメートル〜約５００マイクロメートル、又は更には約２５０マイクロメートル〜約４００マイクロメートルの内径を有してもよい。一態様では、該同芯ノズルは、約２００マイクロメートル〜約１，０００マイクロメートル、約３５０マイクロメートル〜約８５０マイクロメートル、又は更には約５００マイクロメートル〜約７５０マイクロメートルの外径を有してもよい。一態様において、該封入有益剤は、該封入有益剤を更に加工することなく、製品でそのまま使用される。一態様において、該封入有益剤は、前もって凝集されてもよい。
【００５２】
一態様において、該封入有益剤のコア部分を製造するために使用される材料は、約０．５ｃＰｓ〜約２００ｃＰｓ、約１ｃＰｓ〜約１００ｃＰｓ、又は更には約３ｃＰｓ〜約８０ｃＰｓの粘度を有してもよい。
【００５３】
一態様において、該シェルは、可塑剤を含んでもよい。好適な可塑剤は、ポリオール、例えば糖、糖アルコール、又はポリエチレングリコール（ＰＥＧ）、尿素、グリコール、ポリプロピレングリコール若しくは他の既知の可塑化剤、例えばトリエチルシトレート、ジブチル又はジメチルフタレート、ポリエチレングリセリン、ソルビトール、トリブチルシトレート、ジブチルセベケート、ポリソルベート及びこれらの混合物を含んでもよい。
【００５４】
一態様において、封入有益剤と相溶性がある結合剤が、該有益な封入作用物質の凝集プロセスに使用されてもよい。理論によって束縛されるものではないが、結合剤は、粒子が要求される機械的強度で形成され、望ましくない相互作用を回避する特定の保護を提供し、かつ、洗浄サイクル中に有効成分の送達を助けることができるのを確実にするために用いることができる。好適な結合剤の非限定的な例としては、糖類及びそれらの誘導体、二糖類、例えば、スクロース、ラクトース、多糖類及びそれらの誘導体：デンプン、セルロース又は変性セルロース、例えば、微結晶セルロース及びヒドロキシプロピルセルロース（ＨＰＣ）などのセルロースエーテル；糖アルコール、例えばキシリトール、ソルビトール又はマルチトール；タンパク質、例えばゼラチン；合成ポリマー：ポリビニルピロリドン（ＰＶＰ）（特に分子量９０，０００ＤａのＰＶＰ）、ポリエチレングリコール（ＰＥＧ）（特に分子量が４，０００Ｄａ、６，０００Ｄａ及び９，０００Ｄａのもの）、及びポリ（ビニルアルコール）（ＰＶＯＨ）、脂肪酸、脂肪アルコール、脂肪エステル及びワックスからの水不透過性材料、あるいはこれらの組み合わせが挙げられる。一態様において、結合剤は液体形態で適用される。
【００５５】
該封入有益剤の分散のための好適な分散剤は、非イオン性、アニオン性、カチオン性、両性イオン性、双性、半極性非イオン性、及びこれらの混合物からなる群から選択される界面活性剤を含んでもよい。
【００５６】
補助成分
本発明の目的のために、以下に例示される補助剤の非限定的な一覧は、本発明の組成物での使用に好適であり、例えば、性能を補助若しくは向上させるために、洗浄される基質の処理のために、又は香料、着色剤、染料などを用いる場合のように組成物の審美性を変化させるために、望ましくは本発明の特定の実施形態に組み込むことができる。列挙された粒子により、成分に加えこのような補助剤が供給されることが理解される。このような追加的構成成分の正確な性質、及びそれを組み込む濃度は、組成物の物理的形態及び使用される作業の性質に依存する。好適な補助剤物質としては、界面活性剤、ビルダー、キレート剤、移染防止剤、分散剤、酵素、及び酵素安定剤、触媒物質、漂白活性化剤、ポリマー系分散剤、粘土及び汚れ除去／再付着防止剤、増白剤、泡抑制剤、染料、追加の香料及び香料送達系、構造弾性化剤、布地柔軟剤、キャリア、ヒドロトロープ、加工助剤、及び／又は色素が挙げられるが、これらに限定されない。下記開示に加えて、このような他の補助剤の好適な例、及び使用濃度は、米国特許第５，５７６，２８２号、同第６，３０６，８１２  Ｂ１号及び同第６，３２６，３４８  Ｂ１号に見られ、これらは参照により組み込まれる。
【００５７】
各補助成分は、本出願人らの組成物にとって必須はない。したがって、本出願人らの組成物の特定の実施形態は、以下の補助材料の１つ以上を含有しない：漂白活性化剤、界面活性剤、ビルダー、キレート剤、移染防止剤、分散剤、酵素及び酵素安定剤、触媒金属錯体、ポリマー分散剤、粘土及び汚れ除去／再付着防止剤、増白剤、泡抑制剤、染料、追加の香料及び香料送達系、構造弾性化剤、柔軟仕上げ剤、キャリア、ヒドロトロープ、加工助剤、及び／又は顔料。このような補助剤が、本明細書に開示されるカプセルと組み合わせられる製品マトリクスを形成することで、消費者製品を完成してもよいことが理解される。一般的に、１種又は２種以上の補助剤が存在する場合、このような１種又は２種以上の補助剤は、以下に詳細に記載されるように存在してもよい。
【００５８】
界面活性剤−本発明による組成物は、界面活性剤又は界面活性剤系を含むことができ、界面活性剤は、非イオン性及び／若しくはアニオン性及び／若しくはカチオン性界面活性剤並びに／又は両性及び／若しくは双性及び／若しくは半極性非イオン性界面活性剤から選択できる。界面活性剤は、典型的には洗浄組成物の約０．１重量％から、約１重量％から、又は更には約５重量％から、洗浄組成物の約９９．９重量％まで、約８０重量％まで、約３５重量％まで、又は更には約３０重量％までの濃度が存在する。
【００５９】
構造化剤−好適な構造化剤の非限定的な例は、次の通りである。
ｉ．ジ−ベンジリデンポリオールアセタール誘導体
流体洗剤組成物は、０．０１重量％〜１重量％のジベンジリデンポリオールアセタール誘導体（ＤＢＰＡ）、又は０．０５重量％〜０．８重量％、又は０．１重量％〜０．６重量％、又は更には０．３重量％〜０．５重量％のジベンジリデンポリオールアセタール誘導体（ＤＢＰＡ）を含んでもよい。好適なＤＢＰＡ分子の非限定例は、米国特許出願第６１／１６７６０４号に開示されている。一態様において、ＤＢＰＡ誘導体は、ジベンジリデンソルビトールアセタール誘導体（ＤＢＳ）を含んでもよい。該ＤＢＳ誘導体は、以下からなる群から選択されてもよい：１，３：２，４−ジベンジリデンソルビトール；１，３：２，４−ジ（ｐ−メチルベンジリデン）ソルビトール；１，３：２，４−ジ（ｐ−クロロベンジリデン）ソルビトール；１，３：２，４−ジ（２，４−ジメチルジベンジリデン）ソルビトール；１，３：２，４−ジ（ｐ−エチルベンジリデン）ソルビトール；及び１，３：２，４−ジ（３，４−ジメチルジベンジリデン）ソルビトール又はこれらの混合物。これらの及び他の好適なＤＢＳ誘導体は、米国特許第６，１０２，９９９、第２段４３行〜第３段６５行に開示されている。
【００６０】
ｉｉ．細菌セルロース
液体洗剤組成物はまた、約０．００５重量％〜約１重量％の細菌セルロース網状構造を含んでもよい。用語「細菌セルロース」は、ＣＰＫｅｌｃｏ  Ｕ．Ｓ．によるＣＥＬＬＵＬＯＮ（登録商標）などのアセトバクター属のバクテリアの発酵により生産された任意の種類のセルロースを包含し、かつ、ミクロフィブリル化セルロース、網目状細菌セルロース等と一般に称される材料を含む。好適な細菌セルロースのいくつかの例は、米国特許第６，９６７，０２７号、同第５，２０７，８２６号、同第４，４８７，６３４号、同第４，３７３，７０２号、同第４，８６３，５６５号及び米国特許出願公開第２００７／００２７１０８号に見ることができる。一態様において、該繊維は、１．６ｍｍ〜３．２ｍｍ×５．８ｍｍ〜１３３ｍｍの断面寸法を有する。加えて、細菌セルロース繊維は、少なくとも約１００ｎｍ、又は約１００〜約１，５００ｎｍ、の平均超極細繊維長を有する。一態様において、細菌セルロースミクロ繊維は、約１００：１〜約４００：１、又は更には約２００：１〜約３００：１のアスペクト比、すなわち、平均ミクロ繊維長を最大断面ミクロ繊維幅で除算したもの、を有する。
【００６１】
ｉｉｉ．コーティングされた細菌セルロース
一態様では、細菌セルロースは、高分子増粘剤で少なくとも部分的にコーティングされている。この少なくとも部分的にコーティングされた細菌セルロースは、米国特許出願公開第２００７／００２７１０８号段落８〜１９に開示されている方法に従って調製することができる。一態様において、少なくとも部分的にコーティングされた細菌セルロースは、約０．１重量％〜約５重量％、又は更には約０．５重量％〜約３．０重量％の細菌セルロースと、約１０重量％〜約９０重量％の高分子増粘剤とを含む。好適なバクテリアセルロースとしては、前述のバクテリアセルロースが挙げられ、好適な高分子増粘剤としては、カルボキシメチルセルロース、カチオン性ヒドロキシメチルセルロース、及びこれらの混合物が挙げられ得る。
【００６２】
ｉｖ．非高分子結晶質ヒドロキシル官能性物質
一態様において、組成物は、組成物の約０．０１〜約１重量％の非高分子結晶質ヒドロキシル官能性構造化剤を含んでもよい。該非高分子結晶質ヒドロキシル官能性構造化剤は、一般に、最終流体洗剤組成物中への分散を補助するために、予め乳化が可能な結晶化可能グリセリドを含んでもよい。一態様において、結晶化可能なグリセリドとしては、液体洗剤組成物内で結晶化させることができるという条件で、硬化ヒマシ油つまり「ＨＣＯ」又はその誘導体が挙げられる。
【００６３】
ｖ．ポリマー構造化剤
本発明の流体洗剤組成物は、約０．０１重量％〜約５重量％の天然由来及び／又は合成ポリマー構造化剤を含んでよい。本発明で使用する、天然由来のポリマー構造化剤の例としては：ヒドロキシエチルセルロース、疎水変性ヒドロキシエチルセルロース、カルボキシメチルセルロース、多糖誘導体、及びこれらの混合物が挙げられる。好適な多糖誘導体としては、ペクチン、アルギン酸塩、アラビノガラクタン（アラビアゴム）、カラギーナン、ジェランガム、キサンタンガム、グアーガム及びこれらの混合物が挙げられる。本発明で使用する合成ポリマー構造化材の例としては：ポリカルボキシレート、ポリアクリレート、疎水変性エトキシル化ウレタン、疎水変性非イオン性ポリオール、及びこれらの混合物が挙げられる。一態様において、該ポリカルボキシレートポリマーは、ポリアクリレート、ポリメタクリレート、又はこれらの混合物である。別の態様において、ポリアクリレートは、不飽和モノ−又はジ−炭酸と、（メタ）アクリル酸のＣ１〜Ｃ３０アルキルエステルとのコポリマーである。該コポリマーは、Ｎｏｖｅｏｎ  Ｉｎｃから商品名Ｃａｒｂｏｐｏｌ  Ａｑｕａ  ３０で入手可能である。
【００６４】
ｖｉ．ジアミドゲル化剤
一態様において、外部構造化システムは、１５０ｇ／モル〜１５００ｇ／モル、又は更には５００ｇ／モル〜９００ｇ／モルの分子量を有するジアミドゲル化剤を含んでもよい。このようなジアミドゲル化剤は、少なくとも２個の窒素原子を含み、その場合、それら窒素原子のうちの少なくとも２個は、アミド官能性置換基を形成する。一態様において、アミド基は異なっている。別の態様において、アミド官能性基は同じである。ジアミドゲル化剤は次式を有する。
【００６５】
【化６】
2016525929.tif 000009
式中、
Ｒ１及びＲ２は、アミノ官能末端基、又は更にはアミド官能末端基であり、一態様では、Ｒ１及びＲ２はｐＨ調整基を含んでもよく、ｐＨ調整可能なアミドゲル化剤は、１〜３０、又は更には２〜１０のｐＫａを有し得る。一態様において、ｐＨ調整可能基は、ピリジンを含んでもよい。一態様において、Ｒ１及びＲ２は、異なってもよい。別の態様においては、同じであってもよい。
【００６６】
Ｌは、１４〜５００ｇ／モルの分子量の連結部である。一態様において、Ｌは、２〜２０の炭素原子を含む炭素鎖を含み得る。別の態様において、Ｌは、ｐＨ調整可能基を含み得る。一態様において、ｐＨ調整可能基は、二級アミンである。
【００６７】
一態様において、Ｒ１、Ｒ２又はＬの少なくとも１つは、ｐＨ調整可能基を含み得る。
【００６８】
ジアミドゲル化剤の非限定的な例は、次の通りである。
Ｎ，Ｎ’−（２Ｓ，２’Ｓ）−１，１’−（ドデカン−１，１２−ジイルビス（アザンジイル））ビス（３−メチル−１−オキソブタン−２，１−ジイル）ジイソニコチンアミド
【００６９】
【化７】
2016525929.tif 000010
ジベンジル（２Ｓ，２’Ｓ）−１，１’−（プロパン−１，３−ジイルビス（アザンジイル））ビス（３−メチル−１−オキソブタン−２，１−ジイル）ジカルバマート
【００７０】
【化８】
2016525929.tif 000011
ジベンジル（２Ｓ，２’Ｓ）−１，１’−（ドデカン−１，１２−ジイルビス（アザンジイル））ビス（１−オキソ−３−フェニルプロパン−２，１−ジイル）ジカルバマート
【００７１】
【化９】
2016525929.tif 000012
【００７２】
ビルダー−本発明の組成物は、１種又は２種以上の洗剤ビルダー又はビルダー系を含むことができる。存在する場合、本組成物は典型的には、少なくとも約１重量％のビルダー、又は約５重量％若しくは１０重量％から、約８０重量％、５０重量％、又は更には３０重量％までのこのようなビルダーを含む。ビルダーとしては、ポリホスフェートのアルカリ金属、アンモニウム及びアルカノールアンモニウム塩、アルカリ金属ケイ酸塩、アルカリ土類及びアルカリ金属炭酸塩、アルミノシリケートビルダー、ポリカルボキシレート化合物、エーテルヒドロキシポリカルボキシレート、無水マレイン酸とエチレン又はビニルメチルエーテルとのコポリマー、１，３，５−トリヒドロキシベンゼン−２，４，６−トリスルホン酸、及びカルボキシメチルオキシコハク酸、エチレンジアミン四酢酸及びニトリロ三酢酸のようなポリ酢酸の種々のアルカリ金属、アンモニウム及び置換アンモニウム塩、並びにメリット酸、コハク酸、オキシジコハク酸、ポリマレイン酸、ベンゼン１，３，５−トリカルボン酸、カルボキシメチルオキシコハク酸、及びそれらの可溶性塩のようなポリカルボン酸塩が挙げられるが、これらに限定されない。
【００７３】
キレート剤−本明細書の組成物はまた、場合により、１種又は２種以上の銅、鉄、及び／又はマンガンキレート剤を含有してもよい。使用される場合、キレート化剤は、概して、本明細書の組成物の約０．１重量％〜約１５重量％又は更には本明細書の組成物の約３．０重量％〜約１５重量％を構成する。
【００７４】
移染防止剤−本発明の組成物はまた、１種又は２種以上の移染防止剤を含んでよい。適切な高分子移染防止剤としては、ポリビニルピロリドンポリマー、ポリアミンＮ−オキシドポリマー、Ｎ−ビニルピロリドンとＮ−ビニルイミダゾールのコポリマー、ポリビニルオキサゾリドン及びポリビニルイミダゾール又はこれらの混合物が挙げられるが、これらに限定されない。本明細書の組成物中に存在する場合、移染防止剤は、洗浄組成物の約０．０００１重量％から、約０．０１重量％から、約０．０５重量％から、洗浄組成物の約１０重量％まで、約２重量％まで、又は更には約１重量％までの濃度で存在する。
【００７５】
分散剤−本発明の組成物はまた、分散剤を含んでよい。適切な水溶性有機材料は、ホモポリマー又はコポリマーの酸又はそれらの塩であり、それらのうちのポリカルボン酸は、互いに炭素原子２個を超えずに離れている少なくとも２個のカルボキシル基を含んでもよい。
【００７６】
香料送達系−本発明の組成物は、別の必須成分として香料技術系を含む。好適な香料送達系、特定の香料送達系の製造方法及びかかる香料送達系の使用が、米国特許出願第２００７／０２７５８６６  Ａ１号に開示されている。かかる香料送達系には以下のものが挙げられる。
Ｉ．ポリマー支援型送達（ＰＡＤ）この香料送達技術は、香料物質を送達するポリマー物質を使用する。古典的なコアセルベーション、水溶性又は部分水溶性〜非水溶性の荷電又は中性ポリマー、液晶、ホットメルト、ヒドロゲル、香料付与プラスチック、マイクロカプセル、ナノ−及びマイクロラテックス、ポリマー性フィルム形成剤、ポリマー性吸収剤、ポリマー性吸着剤等がいくつかの例である。ＰＡＤとしては、限定されるものではないが、以下のものが挙げられる。
ａ．）マトリックス系：芳香剤をポリマーマトリックス又は粒子中に溶解又は分散させる。例えば、香料は、１）製品を配合する前にポリマー内に分散させるか、又は２）製品の配合中又は配合後にポリマーとは別に添加することができる。好適な有機ラテックス粒子としては、限定するものではないが、ポリアセタール、ポリアクリレート、ポリアミド、ポリブタジエン、ポリクロロプレン、ポリエチレン、ポリシクロヘキシレンポリカーボネート、ポリヒドロキシアルカノエート、ポリケトン、ポリエステル、ポリエーテルイミド、ポリエーテルスルフォン、ポリエチレンクロリネート、ポリイミド、ポリイソプレン、ポリ乳酸、ポリフェニレン、ポリフェニレン、ポリプロピレン、ポリスチレン、ポリサルフォン、ポリ酢酸ビニル、ポリ塩化ビニル、並びにアクリロニトリル−ブタジエン、酢酸セルロース、エチレン−酢酸ビニル、エチレンビニルアルコール、スチレン−ブタジエン、酢酸ビニル−エチレン、及びこれらの混合物に基づいたポリマー又はコポリマーなどの広範な材料が挙げられる。全てのこのようなマトリックス系は、例えば多糖類及びナノラテックスを含み、ＰＡＤリザーバ系等の他のＰＡＤ系を含む他のＰＤＴと組み合わせて香料マイクロカプセル（ＰＭＣ）の形態とすることができる。シリコーン支援型送達（ＳＡＤ）を用いることも可能である。シリコーンの例としては、ポリジメチルシロキサン及びポリアルキルジメチルシロキサンが挙げられる。他の実施例としては、アミン官能性を有するものが挙げられ、これを用いてアミン支援型送達（ＡＡＤ）、及び／又はポリマー支援型送達（ＰＡＤ）、及び／又はアミン反応生成物（ＡＲＰ）に関連した効果を与えることができる。
ｂ．）リザーバ系；リザーバ系はコア／シェル型技術、すなわちフレグランスが保護シェルとして機能し得る香料放出制御膜によって包囲される技術としても知られる。
ＩＩ．分子支援型送達（ＭＡＤ）：非ポリマー物質又は分子もまた、香料の送達を向上させるうえで機能することができ、というのも、香料は有機物質と非共有結合的に相互作用する場合があり、付着及び／又は放出を変化させるからである。こうした有機物質の非限定的な例としては、これらに限定されるものではないが、有機油、ワックス、鉱物油、ペトロラタム、脂肪酸又はエステルなどの疎水性物質、糖類、界面活性剤、リポソーム、更には他の香料原材料（香油）、並びにボディーオイルや他のソイルなどの天然油が挙げられる。
ＩＩＩ．繊維支援型送達（ＦＡＤ）：部位自体の選択又は使用は、香料の送達を向上させ得る。実際、部位それ自体が香料送達技術であり得る。例えば、綿又はポリエステル等の異なる種類の布は、香料をひき付ける、及び／又は保持する、及び／又は放出する能力に関して異なる性質を有する。繊維の表面又は内部に蓄積される香料の量は、繊維の選択によって、更に繊維の履歴又は処理によって、並びにあらゆる繊維コーティング又は処理によって変化し得る。繊維は、香料で予備充填された後、自由香料及び／又は１つ又は２つ以上の香料送達技術を含んでいてもよいし、含んでいていなくてもよい製品に添加することができる。
ＩＶ．アミン支援型送達（ＡＡＤ）：アミン支援型送達技術の手法は、アミン基を含有する物質を使用することによって香料の蓄積量を増大させ、製品使用時の香料放出性を改変するものである。この手法では、製品への添加前に香料原材料とアミンとを予め錯体化させるか又は予め反応させる必要がない。一態様において、本明細書で使用するのに好適なアミン含有ＡＡＤ材料は、非芳香族、例えば、ポリアルキルイミン（例えばポリエチレンイミン（ＰＥＩ））、又はポリビニルアミン（ＰＶＡｍ）、あるいは芳香族（例えばアントラニレート）であり得る。こうした材料は、ポリマー性であってもよく、又は非ポリマー性であってもよい。一態様において、こうした材料には、少なくとも１つの一級アミンが含有される。別の態様では、例えば硫黄、リン、又はセレニウムなどの窒素以外のヘテロ原子を含有する物質をアミン化合物の代わりに使用することができる。更に別の態様において、上記の代替化合物をアミン化合物と組み合わせて使用することができる。更なる別の態様において、１つの分子がアミン部分と、例えば、チオール、ホスフィン、及びセレノールなどの１つ又は２つ以上の代替ヘテロ原子部分とを含有していてもよい。
Ｖ．シクロデキストリン送達系（ＣＤ）：この技術による手法では、環状オリゴ糖又はシクロデキストリンを用いて香料の送達を向上させる。典型的には、香料とシクロデキストリン（ＣＤ）との複合体を形成する。こうした複合体は、予め形成してよく、その場で形成してよく、部位の表面上又は内部で形成してもよい。
ＶＩ．デンプン封入アコード（ＳＥＡ）：ＳＥＡは、デンプン封入香料材料である。好適なデンプンとしては、加水分解デンプン、酸希釈デンプン、疎水性基を有するデンプン、例えば長鎖炭化水素（Ｃ５以上）のデンプンエステル、酢酸デンプン、デンプンオクテニルサクシネート、及びこれらの混合物などの加工デンプンが挙げられる。一態様において、デンプンオクテニルサクシネートなどのデンプンエステルを使用する。封入に好適な香料としては、通常の標準圧力である約０．１０ＭＰａ（約７６０ｍｍＨｇ）で測定される２７５℃以下の沸点、約２，０００以上のオクタノール／水分配係数Ｐ、５０十億分率（ｐｐｂ）以下の臭気検知閾値を有するものを含むＨＩＡ香料が挙げられる。一態様において、香料は、２以上のｌｏｇＰを有してよい。
ＶＩＩ．無機キャリア送達系（ＺＩＣ）：この技術は香料を送達するのに多孔質のゼオライト又は他の無機物質を使用することに関する。香料で充填したゼオライトを、例えば香料充填ゼオライト（ＰＬＺ）をコーティングするために用いられる補助成分とともに、又はこのような補助成分は用いずに使用して、製品保存時、又は使用時、又は乾燥した部位からの香料放出特性を変化させることが可能である。好適な無機担体の別の例としては無機チューブがあり、この場合、香料又は他の活性物質がナノ又はマイクロチューブの内腔内に収容される。デンプン封入体などのモノマー及び／又はポリマー材料を用いてＰＬＺをコーティング、プラギング、キャッピング、又は封入することが可能である。
ＶＩＩＩ．プロ香料（ＰＰ）：この技術は、１つ又は２つ以上のＰＲＭと１つ又は２つ以上のキャリアとの間に共有結合を有する物質を形成するために、香料物質と他の基材又は化学物質とを反応させることから得られる香料技術を指す。ＰＲＭはプロＰＲＭ（即ちプロ香料）と呼ばれる新たな材料へと変換され、プロＰＲＭは水や光などの誘因に曝露されると、オリジナルのＰＲＭを放出する。プロ香料の非限定的な例としては、マイケル付加物（例えば、β−アミノケトン）、芳香族又は非芳香族イミン（シッフ塩基）、オキサゾリジン、β−ケトエステル、及びオルトエステルが挙げられる。別の態様には、例えばα、β−不飽和ケトン、アルデヒド又はカルボン酸エステルなどの、ＰＲＭを放出可能な１つ又は２つ以上のβ−オキシ−又はβ−チオ−カルボニル部分を含む化合物が含まれる。
ａ．）アミン反応生成物（ＡＲＰ）：本出願の目的では、ＡＲＰは、ＰＰの一サブクラス又は一種である。「反応性」高分子アミンを使用してもよく、その場合、アミン官能基は、１つ又は２つ以上のＰＲＭ、典型的にはケトン部分及び／又はアルデヒド部分を含有するＰＲＭと予備反応してアミン反応生成物（ＡＲＰ）を形成する。典型的には、反応性アミンは一級及び／又は二級アミンであり、ポリマー又はモノマー（非高分子）の一部であり得る。こうしたＡＲＰを、更なるＰＲＭと混合して、ポリマー支援型送達効果及び／又はアミン支援型送達効果を提供することも可能である。ポリマーアミンの非限定的な例としては、ポリエチレンイミン（ＰＥＩ）などのポリアルキルイミン、又はポリビニルアミン（ＰＶＡｍ）に基づいたポリマーが挙げられる。モノマー（非ポリマー）アミンの非限定的な例としては、ヒドロキシルアミン（例えば２−アミノエタノール）及びそのアルキル置換誘導体、並びに芳香族アミン（例えばアントラニレート）が挙げられる。ＡＲＰは香料と予備混合してもよく、リーブオン用途又はリンスオフ用途では香料とは別に添加してもよい。別の態様においては、例えば酸素、硫黄、リン又はセレニウムなどの窒素以外のヘテロ原子を含有する物質をアミン化合物の代わりに使用することができる。更に別の態様においては、上記の代替化合物をアミン化合物と組み合わせて使用することができる。更なる別の態様において、１つの分子が、アミン部分と、例えばチオール、ホスフィン、及びセレノールなどの１つ又は２つ以上の代替ヘテロ原子部分とを含んでいてもよい。
【００７７】
酵素−組成物は、洗浄性能効果、及び／又は布帛ケア効果を提供する１つ又は２つ以上の洗浄性酵素を含むことができる。好適な酵素の例としては、限定するものではないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、β−グルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、プロテアーゼ、リパーゼ、クチナーゼ及び／又はセルラーゼのような従来の適用可能な酵素をアミラーゼと組み合わせた混液である。
【００７８】
酵素安定剤−組成物において、例えば洗剤において使用するための酵素は、様々な技術によって安定化可能である本明細書に用いられる酵素は、カルシウムイオン及び／又はマグネシウムイオンを酵素に供給する、カルシウム及び／又はマグネシウムイオンの水溶性供給源を最終組成物中に存在させることによって安定化させることができる。
【００７９】
触媒金属錯体−本出願人らの組成物は、触媒金属錯体を包含してもよい。金属含有漂白触媒の１つの種類は、銅、鉄、チタン、ルテニウム、タングステン、モリブデン、又はマンガンのカチオンのような、限定された漂白触媒活性の遷移金属カチオン、亜鉛又はアルミニウムのカチオンのような、漂白触媒活性を殆ど又は全く有さない補助金属カチオン、並びに触媒金属及び補助金属のカチオンに対して規定された安定度定数を有する金属イオン封鎖剤（sequestrate）、特にエチレンジアミン四酢酸、エチレンジアミンテトラ（メチレンホスホン酸）及びこれらの水溶性塩を含む触媒系である。このような触媒は、米国特許第４，４３０，２４３号に開示されている。
【００８０】
所望する場合、本明細書の組成物はマンガン化合物により触媒作用を受けることが可能である。このような化合物及び使用濃度は当技術分野にて周知であり、例えば、米国特許第５，５７６，２８２号に開示されるマンガン系触媒が挙げられる。
【００８１】
本明細書において有用なコバルト漂白触媒は既知であり、例えば、米国特許第５，５９７，９３６号及び同第５，５９５，９６７号に記載されている。このようなコバルト触媒は、既知の手順、例えば、米国特許第５，５９７，９３６号、及び同第５，５９５，９６７号において教示されているような手順によって容易に調製される。
【００８２】
本明細書の組成物はまた、「ＭＲＬ」と略される大環状剛性配位子の遷移金属錯体を好適に含むこともきる。実際には、限定目的ではないが、本明細書における組成物及び洗浄方法は、水性の洗浄媒質内において少なくともおよそ１憶分の１部の有益剤ＭＲＬ種を提供するように調整することができ、約０．００５ｐｐｍ〜約２５ｐｐｍ、約０．０５ｐｐｍ〜約１０ｐｍ、更には約０．１ｐｐｍ〜約５ｐｐｍのＭＲＬを洗浄溶液中に提供するよう調整できる。
【００８３】
本発明の遷移金属漂白剤触媒中の好適な遷移金属としては、マンガン、鉄、及びクロムが挙げられる。本明細書における好適なＭＲＬは、架橋した特定の種類の超剛性配位子、例えば、５，１２−ジエチル−１，５，８，１２−テトラアザビシクロ［６．６．２］ヘキサデカンある。
【００８４】
好適な遷移金属ＭＲＬは、既知の手順、例えば、国際公開第００／３２６０１号及び米国特許第６，２２５，４６４号教示されているような手順によって容易に製造される。
【００８５】
無機過水和物漂白剤−洗剤成分の組成物は、酸素放出漂白剤として過酸化水素源を含んでもよい。好適な過酸化水素源としては、無機過水和物塩が挙げられる。こうした無機過水和物塩は、通常は、組成物の１重量％〜４０重量％、より好ましくは２重量％〜３０重量％、最も好ましくは５重量％〜２５重量％の範囲の濃度にてナトリウム塩の形態で組み込まれる。無機過水和物塩の非限定的な例としては、過ホウ酸塩、過炭酸塩、過リン酸塩、過硫酸塩及び過ケイ酸塩が挙げられる。無機過水和物塩は、通常、アルカリ金属塩である。無機過水和物塩は、追加的保護なしで、結晶性固体として含まれてよい。こうした粒状組成物の一態様においては、無機過水和物塩は、粒状製品中の過水和物塩に対して良好な保存安定性を提供するコーティングを含んでもよい。過ホウ酸ナトリウムは、名目上の式ＮａＢＯ２Ｈ２Ｏ２の一水和物又は四水和物ＮａＢＯ２Ｈ２Ｏ２．３Ｈ２Ｏの形態であり得る。アルカリ金属過炭酸塩、特に過炭酸ナトリウムは、本発明による組成物中に含めるのに好ましい過酸化水素化物である。過炭酸ナトリウムは、２Ｎａ２ＣＯ３．３Ｈ２Ｏ２に相当する式を有する付加化合物であり、結晶性固体として市販されている。過酸化水素付加化合物である過炭酸ナトリウムは、溶解時に、局在化高漂白剤濃度を生じさせる傾向を増大させることができる過酸化水素をかなり急速に放出する傾向がある。一態様において、過炭酸塩は、製品内安定性を提供するコーティングされた形態でこうした組成物中に組み込まれ得る。
【００８６】
製品内安定性を提供する好適なコーティング材料は、水溶性アルカリ金属硫酸塩と炭酸塩との混合塩を含んでもよい。このようなコーティングは、コーティング方法とともに、過去に英国特許第１，４６６，７９９号（１９７７年３月９日にＩｎｔｅｒｏｘに付与）に記載されている。混合塩コーティング材料と過炭酸塩との重量比は、約１：２００〜約１：４、又は約１：９９〜約１：９、又は更には約１：４９〜約１：１９の範囲内である。一態様において、混合塩は、一般式Ｎａ２ＳＯ４．ｎ．Ｎａ２ＣＯ３（式中、ｎは、約０．１〜約３、又は約０．３〜約１．０、又は更には約０．２〜約０．５である）を有する硫酸ナトリウム及び炭酸ナトリウムの混合塩である。
【００８７】
製品安定性を提供する別の好適なコーティング材料は、約１．８：１〜約３．０：１、又は約１．８：１〜約２．４：１のＳｉＯ２：Ｎａ２Ｏ比のケイ酸ナトリウム、及び／又はメタケイ酸ナトリウムを含み、好ましくは無機過水和物塩の約２重量％〜約１０重量％（通常は約３重量％〜約５重量％）のＳｉＯ２の濃度で適用される。ケイ酸マグネシウムをコーティングに含んでもよい。一態様において、コーティングは、ケイ酸塩、ホウ酸塩、ホウ酸、他の無機物又はこれらの混合物を含んでもよい。一態様において、コーティングは、ワックス、油、脂肪石鹸、及びこれらの混合物を含んでもよい。一態様において、ペルオキシ一硫酸カリウムが使用されてもよい。
【００８８】
ペルオキシ酸漂白剤前駆体−ペルオキシ酸漂白剤前駆体は、ペルヒドロライシス反応において過酸化水素と反応し、ペルオキシ酸を生成する化合物である。一般的に、ペルオキシ酸漂白剤前駆体は、以下のように表わすことができる。
【００８９】
【化１０】
2016525929.tif 000013
式中、ペルヒドロライシスの際にペルオキシ酸の構造が生成されるように、Ｌは、脱離基であり、Ｘは、本質的に任意の官能基である。
【００９０】
【化１１】
2016525929.tif 000014
【００９１】
一態様において、該ペルオキシ酸漂白剤前駆体化合物は、組成物の総重量に基づいて約０．５％〜約２０％、約１％〜約１０％、又は更には約１．５％〜約５％濃度で存在し得る。好適なペルオキシ酸漂白剤前駆体化合物は、１種又は２種以上のＮ−又はＯ−アシル基を含んでもよく、この前駆体は、広範囲の部類から選択され得る。好適な部類としては、無水物、エステル、イミド、ラクタム、並びにイミダゾール及びオキシムのアシル化誘導体がが挙げられる。これらの部類内の有用な材料の非限定的な例は、英国特許出願公開第１５８６７８９（Ａ）号（ＧＢ−Ａ−１５８６７８９）に開示されている。好適なエステルは、英国特許出願公開第８３６９８８（Ａ）号（ＧＢ−Ａ−８３６９８８）、同第８６４７９８（Ａ）号（ＧＢ−Ａ−８６４７９８）、同第１１４７８７１（Ａ）号（ＧＢ−Ａ−１１４７８７１）、同第２１４３２３１（Ａ）号（ＧＢ−Ａ−２１４３２３１）及び欧州特許第０１７０３８６（Ａ）号（ＥＰ−Ａ−０１７０３８６）に開示されている。
【００９２】
使用方法
本明細書に開示されている特定の消費者製品は、部位を、とりわけ、表面又は布地を、洗浄又は処理するために使用することができる。典型的には、未希釈形態の又は液体（例えば、洗浄液）に希釈した本願の消費者製品の実施形態と、このような部位の少なくとも一部を接触させ、所望によりその部位を洗浄し及び／又はすすぐことができる。一態様において、部位を場合により洗浄し／又はすすぎ、消費者製品の態様と接触させた後に、場合により洗浄し／又はすすぐ。本発明の目的に関して、洗浄は、こすり洗い及び機械的撹拌を含むが、これらに限定するものではない。布帛は、標準的な消費者の使用条件で洗濯又は処理することが可能な大部分の任意の布帛を含んでよい。開示される組成物を含み得る液体は、約３〜約１１．５のｐＨを有してもよい。こうした組成物は、典型的には溶液に約５００ｐｐｍ〜約１５，０００ｐｐｍの濃度で使用される。洗浄溶媒が水であるとき、水温は、典型的には、約５℃〜約９０℃であり、部位が布地を含むとき、水と布地との割合は、典型的には、約１：１〜約３０：１である。
【００９３】
前述の方法の１つ以上を採用することで、部位処理が得られる。
【００９４】
試験方法
本出願の「試験方法」の項で開示される試験方法は、本出願人らの発明が本明細書に記載され及び特許請求されているように、本出願人らの発明のパラメータの各値を求めるために使用されるものと理解されなければならない。更に、封入有益剤が以下の方法を使用する前に製品から単離される必要があり、単離は、製品の種類と形態に依存ばかりでなく、封入有益剤シェルの性質にも依存することが当業者には明らかであろう。例えば、液体生成物中に含まれる封入有益剤は、遠心分離によって単離され、封入有益剤シェルについては非溶媒中に再分散されてもよく、一方固体生成物中に含まれる封入有益剤については、結合剤に対しては溶媒が、封入有益剤に対しては非溶媒が使用されてもよい。
【００９５】
（１）封入有益剤の集合体の平均直径：封入有益剤の集合体は、走査電子顕微鏡及びＩｍａｇｅＪソフトウェアプログラムバージョン１．４６ｒ（Ｒａｓｂａｎｄ，Ｗ．Ｓ．，ＩｍａｇｅＪ，Ｕ．Ｓ．国立衛生研究所（Ｎａｔｉｏｎａｌ  Ｉｎｓｔｉｔｕｔｅｓ  ｏｆ  Ｈｅａｌｔｈ），Ｂｅｔｈｅｓｄａ，Ｍａｒｙｌａｎｄ，ＵＳＡ，ｈｔｔｐ：／／ｉｍａｇｅｊ．ｎｉｈ．ｇｏｖ／ｉｊ／，１９９７〜２０１２）によるコンピュータ化画像分析を用いて得られた平均直径
【００９６】
【数１】
2016525929.tif 000015
で特徴付けられる。
ｉ．約３０ｍｇの封入有益剤の集合体のサンプルを、成体接着剤スタブ（例えば、Ａｇｒ  Ｓｃｉｅｎｔｉｆｉｃ，Ｅｓｓｅｘ，ＵＫから入手可能な、直径１２ｍｍのＬｅｉｔ  Ａｄｈｅｓｉｖｅ  Ｃａｒｂｏｎタブを装着した直径１２．５ｍｍのアルミニウムピンスタブＧ３０１）に接着し、凝集を回避して、封入有益剤の単一の均一層を得る。
ｉｉ．約５００のランダムに選択した封入有益剤の画像を取得するために、日立卓上用走査電子顕微鏡（Ｈｉｔａｃｈｉ  Ｈｉｇｈ−Ｔｅｃｈｎｏｌｏｇｉｅｓ  Ｅｕｒｏｐｅ  ＧｍｂＨ，Ｇｅｒｍａｙ）を用いて、スタブ当たり１０枚の画像を約１００倍の倍率を使用して撮影する。
ｉｉｉ．総数で、少なくとも３００の封入有益剤の単層を表示するのに十分な画像が選択されることを確保しながら、撮影した１０枚の画像から少なくとも３枚の画像を、ＩｍａｇｅＪ解析にのために選択する。
ｉｖ．３枚又はそれ以上の画像のそれぞれをＩｍａｇｅＪで開く。画像が較正され、使用されるスケールはマイクロメートル（μｍ）である。各画像を、８ビットのグレースケールピクセル深度に変換し、次いでソフトウェアの自動閾値処理ボタンによって自動的に閾値処理が行われ、二値画像を生成し、これによって封入有益剤を表すピクセルがフォアグラウンドの対象及び解析対象領域となり、これらがバックグラウンドピクセルから切り離される。次いで封入有益剤を表す各解析対象領域の面積（平方μｍ）が、「Ｓｅｔ  Ｍｅａｓｕｒｅｍｅｎｔ」メニュー上の「Ａｒｅａ」を選択し、「Ａｒｅａ」内で「Ｅｘｃｌｕｄｅ  Ｅｄｇｅ  Ｐａｒｔｉｃｌｅｓ」及び「ｃｉｒｃｕｌａｒｉｔｙ」を選択することによって、ＩｍａｇｅＪにより測定される。次いで「ｃｉｒｃｕｌａｒｉｔｙ」については、約０．４〜約１の範囲の値を「Ａｎａｌｙｚｅ  Ｐａｒｉｃｌｅｓ」メニュー上に入力する。
ｖ．得られた面積（Ａ、平方μｍ）が記録され、以下の式に従って、封入有益剤の直径を計算するために使用される。
ｄ１＝√（４Ａ１／π）
式中、ｄ１はマイクロメートルでの直径であり、Ａ１は、所定の封入有益剤についてＩｍａｇｅＪから得られた面積である。
ｖｉ．次いで、直径（ｄ１）を、最大寸法から最小寸法まで順位序列処理し、以下の式を用いて平均封入有益剤寸法を得る。
【００９７】
【数２】
2016525929.tif 000016
式中、
【００９８】
【数３】
2016525929.tif 000017
は、マイクロメートルでの平均封入有益剤直径であり、ｄ１は、上記で計算された封入有益剤のマイクロメートルでの個々の直径であり、ｎは、このような平均値を得るために最小で３００個の封入有益剤を用いて解析された封入有益剤の総数である。更に、５、５０及び９５パーセンタイル値も、これらの直径データポイントについて計算する。
【００９９】
（２）封入有益剤の集合体の直径の変異係数：封入有益剤の集合体は、封入有益剤の該集合体の直径の分布（すなわち、標準偏差）と平均封入有益剤直径との間の比に相当する直径の変異係数（ＣｏＶ）によって特徴付けられる。ＣｏＶは以下のように得られる。
ｉ．まず初めに、平均封入有益剤直径の標準偏差（ＳＴＤ）を、以下の式を用いて得る。
【０１００】
【数４】
2016525929.tif 000018
式中、ＳＴＤは、マイクロメートルでの直径の標準偏差であり、
【０１０１】
【数５】
2016525929.tif 000019
は、マイクロメートルでの平均封入有益剤直径であり、ｄ１は、上記で計算された封入有益剤のマイクロメートルでの個々の直径であり、ｎは、このようなＳＴＤを得るために最小で３００個の封入有益剤を用いて解析された封入有益剤の総数である。
ｉｉ．最後に、封入有益剤の集合体の直径の変異係数（ＣｏＶ）を、以下の式を用いて得る。
【０１０２】
【数６】
2016525929.tif 000020
式中、ＣｏＶは、％での封入有益剤の集合体の直径の変異係数であり、ＳＴＤ及び
【０１０３】
【数７】
2016525929.tif 000021
は、それぞれ、上記で計算された標準偏差及びマイクロメートルでの平均直径である。
【０１０４】
（３）平均シェル厚さ：平均シェル厚さは、標的とした封入有益剤の断面を調製し、走査電子顕微鏡（ＪＥＯＬ  Ｌｔｄ，東京、日本から入手可能なモデルＪＳＭ−６４００など）の下でシェル厚さを測定することによって決定される。約２００ｍｇの封入有益剤サンプル（乾燥粉末として）を、約１ｍＬの最適切削温度（ＯＣＴ）溶液と混合する。非水溶性シェル材料の場合には、このＯＣＴ溶液は、１０．２４％のポリビニルアルコール、４．２６％のポリエチレングリコール及び８５．５％の非反応性成分から構成され得る。一方、水溶性シェル材料については、このＯＣＴ溶液は、ポリプロピレングリコール、ポリエチレングリコール、グリセリン、植物油及び／又は鉱油から構成され得る。ＯＣＴ中に懸濁した封入有益剤を含有するこのＯＣＴ溶液を、液体窒素（−１９６℃）を用いて速やかに凍結し、−２０℃に冷却した低温槽マイクロトームの内部に配置する。低温槽マイクロトームを用いて、凍結懸濁液のサンプル断面を、約１０μｍの厚さで切断する。切片を室温の顕微鏡スライドガラス上に据え付けると、これらは即座に溶融し接着する。切片を室温で空気乾燥した後に、これらをスパッタリングコーティングによって金で被覆し、走査電子顕微鏡（ＳＥＭ）（ＪＥＯＬ  Ｌｔｄ，東京、日本から入手可能なＪＥＯＬ  ＳＥＭモデルＪＩＳＭ−６４００など）を用いて観察し、写真撮影する。得られた断片の顕微鏡写真から、３種の異なる直径寸法分画それぞれにおいて１０個の封入有益剤を選択することによって、３０個の封入有益剤のシェルの厚さを測定する。３種の異なる直径寸法分画は、上記方法（１）の下で測定された、直径データポイントから計算された５、５０、及び９５パーセンタイル値によって決定される。３種の直径寸法分画は、５パーセンタイル値＋／−その値の１０％であるもの；５０パーセンタイル値＋／−その値の１０％であるもの；及び９５パーセンタイル値＋／−その値の１０％であるものとして定義される（マイクロメートルで）。選択された３０個の封入有益剤のそれぞれに対して、シェル厚さを、シェルの円周に沿って等距離で間隔を置いた少なくとも４つの異なる位置で、すなわち、０°、９０°、１８０°及び２７０°で測定し、合計で１２０個の厚さ測定値を得る。平均シェル厚さ
【０１０５】
【数８】
2016525929.tif 000022
及び各カプセルのシェル厚さの標準偏差（ＳＴＤ）を、対応のカプセルの少なくとも４つのシェル厚さ測定値を用いて計算する。
【０１０６】
（４）平均シェル厚さの変異係数：平均シェル厚さは、パーセンテージとして表わされる、封入有益剤の該集合体のシェル厚さ分布（標準偏差）と所定の封入有益剤の平均シェル厚さとの間の比に相当する変異係数（ＣｏＶ）によって特徴付けられる。ＣｏＶは以下のように得られる。
ｉ．まず初めに、平均封入有益剤シェル厚さの標準偏差（ＳＴＤ）を、以下の式を用いて得る。
【０１０７】
【数９】
2016525929.tif 000023
式中、ＳＴＤは、マイクロメートルでの標準偏差であり、
【０１０８】
【数１０】
2016525929.tif 000024
は、マイクロメートルでの平均封入有益剤シェル厚さであり、ｓ１は、上記で計算された封入有益剤のマイクロメートルでの個々のシェル厚さであり、ｎは、このようなＳＴＤを得るために最小で４つの測定値を用いて取得されたシェル厚さ測定値の総数である。
ｉｉ．最後に、封入有益剤のシェル厚さの変異係数（ＣｏＶ）を、以下の式を用いて得る。
【０１０９】
【数１１】
2016525929.tif 000025
式中、ＣｏＶは、％での封入有益剤の集合体の変異係数であり、ＳＴＤ及び
【０１１０】
【数１２】
2016525929.tif 000026
は、それぞれ、上記で計算された標準偏差及びマイクロメートルでの平均シェル厚さである。
【実施例】
【０１１１】
本発明の特定の実施形態が例示され記載されてきたが、本発明の趣旨及び範囲から逸脱することなく他の様々な変更及び修正を実施できることが当業者には自明であろう。したがって、本発明の範囲内に含まれるそのような全ての変更及び修正は、添付の特許請求の範囲にて網羅することを意図したものである。
【０１１２】
実施例１〜５：スプレー乾燥コア−シェル封入体の生成
７．５グラムのポリ（ビニルアルコール）（３６０６２７、Ｓｉｇｍａ−Ａｌｄｒｉｃｈ、８０％の加水分解度、Ｍｗ  ９，０００〜１０，０００）を、２０℃において磁気撹拌器で混合しながら、４６．２５グラムの脱イオン水にゆっくりと添加することによって、ポリマーシェル材料溶液を調製する。ポリ（ビニルアルコール）が完全に溶解したら、４６．２５グラムのエタノール（≧９９％、Ｓｉｇｍａ−Ａｌｄｒｉｃｈ）を、２０℃にて連続撹拌下でゆっくりと添加する。この溶液を、続いて５マイクロメートルのシリンジ駆動フィルタ（Ｍｉｌｌｅｘ−ＳＶ、５．００μｍ、Ｍｉｌｌｉｐｏｒｅ，Ｉｒｅｌａｎｄ）で濾過する。コアについては、４ｃＰｓの濃度を有する（１４ｓ−１の剪断速度及び２５℃の温度で測定）２４５流体（９９％のデカメチルシクロペンタシロキサン、Ｄｏｗ  Ｃｏｒｎｉｎｇ（登録商標））１００グラムを５マイクロメートルのシリンジ駆動フィルターでろ過する。ポリマーシェル材料溶液とコアを、２つの高圧シリンジポンプ（ＰＨＤ  ４４００、Ｈａｒｖａｒｄ  Ａｐｐａｒａｔｕｓ，Ｆｒａｎｃｅ）を用いて、及び同芯流Ｆｏｃｕｓｉｎｇ（登録商標）ノズルＰＳＣ０３５０Ｆ（Ｉｎｇｅｎｉａｔｒｉｃｓ，Ｓｐａｉｎ）を用いることによって、スプレー乾燥機（４Ｍ８−ＴｒｉＸスプレー乾燥機、ＰｒｏＣｅｐＴ，Ｂｅｌｇｉｕｍ）に別々に導入する。次いで封入有益剤を採集し、平均直径（方法１に記載される通りに）、平均直径の変異係数（方法２に記載される通りに）、平均シェル厚さ（方法３に記載される通りに）、及び平均シェル厚さの変異係数（方法４に記載される通りに）を得る。プロセスパラメータ及び得られた結果を表１にまとめる。
【０１１３】
【表２】
2016525929.tif 000027
【０１１４】
実施例６：スプレー乾燥コア−シェル封入体の生成
７．５グラムのポリ（ビニルアルコール）Ｇ−ｐｏｌｙｍｅｒ（登録商標）（Ｎｉｐｐｏｎ  Ｇｏｈｓｅｉ、日本）を、２０℃において磁気撹拌器で混合しながら、４６．２５グラムの脱イオン水にゆっくりと添加することによって、ポリマーシェル材料溶液を調製する。ポリ（ビニルアルコール）が完全に溶解したら、４６．２５グラムのエタノール（≧９９％、Ｓｉｇｍａ−Ａｌｄｒｉｃｈ）を、２０℃にて連続撹拌下でゆっくりと添加する。この溶液を、続いて５マイクロメートルのシリンジ駆動フィルタ（Ｍｉｌｌｅｘ−ＳＶ、５．００μｍ、Ｍｉｌｌｉｐｏｒｅ，Ｉｒｅｌａｎｄ）で濾過する。コアについては、１０グラムのポリ（ビニルアルコール）（３６０６２７、Ｓｉｇｍａ−Ａｌｄｒｉｃｈ、８０％の加水分解度、Ｍｗ  ９，０００〜１０，０００）を、７０グラムの脱イオン水にゆっくりと添加する。ポリ（ビニルアルコール）が溶解したら、２０グラムのＬｉｑｕｉｔｉｎｔ  Ｖｉｏｌｅｔ  ＤＤ（Ｍｉｌｌｉｋｅｎ，ＵＳＡ）を、２０℃で撹拌しながらゆっくりと添加する。この第２の溶液の粘度を測定し（方法５に記載されるように）、８０ｃＰｓであった。この溶液を、２つの高圧シリンジポンプ（ＰＨＤ  ４４００、Ｈａｒｖａｒｄ  Ａｐｐａｒａｔｕｓ，Ｆｒａｎｃｅ）を用いて、及び同芯流Ｆｏｃｕｓｉｎｇ（登録商標）ノズルＰＳＣ０３５０Ｆ（Ｉｎｇｅｎｉａｔｒｉｃｓ，Ｓｐａｉｎ）を用いることによって、スプレー乾燥機（４Ｍ８−ＴｒｉＸスプレー乾燥機、ＰｒｏＣｅｐＴ，Ｂｅｌｇｉｕｍ）に別々に導入する。次いで、封入有益剤を採集し、更に使用する。プロセスパラメータは、以下の通りである。
・内部毛細管流量（コア）：７ｍＬ／時
・外部毛細管流量（ポリマーシェル材料）：３０ｍＬ／時
・ノズルの空気圧：４ｋＰａ（４０ミリバール）
・乾燥空気流量：０．３ｍ３／分
・乾燥空気温度：１２０℃
【０１１５】
実施例７：スプレー乾燥コア−シェル封入体の生成
ＰＶＡ誘導体（Ｂｕ−ＰＶＡ）の合成：２００グラムのポリ（ビニルアルコール）（３６０６２７、Ｍｗ  ９，０００〜１０，０００、８０％の加水分解度、Ｓｉｇｍａ−Ａｌｄｒｉｃｈ）を、連続的撹拌下で８００グラムの脱塩水に添加する。この溶液を２０℃で５時間にわたって撹拌し、２０グラムの３７％塩酸溶液（３２０３３１、Ｓｉｇｍａ−Ａｌｄｒｉｃｈ）を、撹拌した反応混合物に、約４５分間にわたってゆっくりと滴加する。次いで、１５グラムのブチルアルデヒド（２０７１０、Ｓｉｇｍａ−Ａｌｄｒｉｃｈ）を、反応混合物に、７００ｒｐｍで撹拌しながら、約９０分にわたってゆっくりと添加する。次いで、反応物を更に１８時間撹拌する。２Ｍの水酸化ナトリウム水溶液の添加によって反応フラスコを中和し、次いで５００ｍＬの脱塩水を添加する。生成物の１５０ｍＬの部分を、６００ｍＬの高速で撹拌するアセトン（１７９１２４、Ｓｉｇｍａ−Ａｌｄｒｉｃｈ）中でそれぞれ沈殿させる。各部分を濾別し、別の１００ｍＬの脱塩水中に再溶解し、次いで６００ｍＬのアセトン中で再沈殿させる。合わせた沈殿物を濾別し、多量のアセトン中で十分に洗浄する。最後に、生成物を濾別し、一晩乾燥させて、以下の構造を有する白色のセミアモルファス粉末を得る。
【０１１６】
【化１２】
2016525929.tif 000028
【０１１７】
５グラムの合成Ｂｕ−ＰＶＡを、９５グラムの脱塩水に２０℃で撹拌しながらゆっくりと添加することによって、ポリマーシェル材料を調製する。この溶液を、引き続いて５マイクロメートルのシリンジ駆動フィルター（Ｍｉｌｌｅｘ−ＳＶ、５．００μｍ、Ｍｉｌｌｉｐｏｒｅ，Ｉｒｅｌａｎｄ）で濾過する。コアについては、５グラムのＬｉｑｕｉｔｉｎｔ（登録商標）Ｖｉｏｌｅｔ  Ｉｏｎ（Ｍｉｌｌｉｋｅｎ，ＵＳＡ）を、４７．５グラムのプロピレングリコール（＞９９％純度、ＩＮＥＯＳ，Ｇｅｒｍａｎｙ）及び４７．５グラムのエタノール（＞９９％純度、Ｓｉｇｍａ−Ａｌｄｒｉｃｈ）の混合物にゆっくりと添加する。この溶液を、２つの高圧シリンジポンプ（ＰＨＤ  ４４００、Ｈａｒｖａｒｄ  Ａｐｐａｒａｔｕｓ，Ｆｒａｎｃｅ）を用いて、及び同芯流Ｆｏｃｕｓｉｎｇ（登録商標）ノズルＰＳＣ０３５０Ｆ（Ｉｎｇｅｎｉａｔｒｉｃｓ，Ｓｐａｉｎ）を用いることによって、スプレー乾燥機（４Ｍ８−ＴｒｉＸスプレー乾燥機、ＰｒｏＣｅｐＴ，Ｂｅｌｇｉｕｍ）に別々に導入する。次いで、封入有益剤を採集し、更に使用する。プロセスパラメータは、以下の通りである。
・内部毛細管流量（コア）：３ｍＬ／時
・外部毛細管流量（ポリマーシェル材料）：１５ｍＬ／時
・ノズルの空気圧：１２．５ｋＰａ（１２５バール）
・乾燥空気流量：０．３ｍ３／分
・乾燥空気温度：９５℃
【０１１８】
実施例８スプレー乾燥コア−シェル封入体の生成
２グラムのポリ（ビニルアルコール）（１８９４８０、Ｓｉｇｍａ−Ａｌｄｒｉｃｈ）を、９８グラムのエタノール（≧９９％、Ｓｉｇｍａ−Ａｌｄｒｉｃｈ）に、２０℃で磁気撹拌器で撹拌しながらゆっくりと添加することによって、ポリマーシェル材料を調製する。この溶液を、引き続いて５マイクロメートルのシリンジ駆動フィルター（Ｍｉｌｌｅｘ−ＳＶ、５．００μｍ、Ｍｉｌｌｉｐｏｒｅ，Ｉｒｅｌａｎｄ）で濾過する。コアについては、２グラムのポリ（ビニルアセテート）（１８９４８０、Ｓｉｇｍａ−Ａｌｄｒｉｃｈ）を、７８グラムのエタノール（≧９９％、Ｓｉｇｍａ−Ａｌｄｒｉｃｈ）にゆっくりと添加する。ポリ（ビニルアセテート）が溶解したら、２０グラムのＬｉｑｕｉｔｉｎｔ（登録商標）Ｖｉｏｌｅｔ  ＤＤ（Ｍｉｌｌｉｋｅｎ，ＵＳＡ）を、２０℃で撹拌しながらゆっくりと添加する。この第２の溶液の粘度を測定し（方法５に記載されるように）、８０ｃＰｓであった。この溶液を、２つの高圧シリンジポンプ（ＰＨＤ  ４４００、Ｈａｒｖａｒｄ  Ａｐｐａｒａｔｕｓ，Ｆｒａｎｃｅ）を用いて、及び同芯流Ｆｏｃｕｓｉｎｇ（登録商標）ノズルＰＳＣ０３５０Ｆ（Ｉｎｇｅｎｉａｔｒｉｃｓ，Ｓｐａｉｎ）を用いることによって、スプレー乾燥機（４Ｍ８−ＴｒｉＸスプレー乾燥機、ＰｒｏＣｅｐＴ，Ｂｅｌｇｉｕｍ）に別々に導入する。次いで、封入有益剤を採集し、更に使用する。プロセスパラメータは、以下の通りである。
・内部毛細管流量（コア）：２６．６ｍＬ／時
・外部毛細管流量（ポリマーシェル材料）：３．４ｍＬ／時
・ノズルの空気圧：５ｋＰａ（５０ミリバール）
・乾燥空気流量：０．３ｍ３／分
・乾燥空気温度：８０℃
【０１１９】
実施例９及び１０：粒状洗剤組成物のための凝集プロセス
【０１２０】
【表３】
2016525929.tif 000029
＊粘度は、剪断速度２５ｓ−１において、かつ温度２５℃において、測定される。
【０１２１】
表１で規定するペーストは、Ｌｏｅｄｉｇｅ  ＣＢ混合機（商標名）に、１，１２０ｋｇ／時で３０℃の温度にてスプレーされる。これと同時に、ゼオライトＡを、１３４０ｋｇ／時の速度で、並びに無水炭酸塩を１，３４０ｋｇ／時の速度で混合機に添加する。ペーストプレミックスの分散及びプレミックスと粉末の高強度の混合が、Ｌｏｅｄｉｇｅ混合機内で生じる。滞留時間は、約８秒である。
【０１２２】
得られた混合物を、Ｌｏｅｄｉｇｅ  ＫＭ混合機（商標名）に送り込み、明確な凝集体が形成される。Ｌｏｅｄｉｇｅ  ＫＭ混合機の下半分において、水を凝集体上に２２５ｋｇ／時の速度でスプレーし、凝集体内の炭酸塩の水和を促進する。水のスプレー後に、３０：５０：２０の比率のゼオライト：シリカ：封入有益剤（実施例５に記載）の混合物を、１６０ｋｇ／時の速度で添加する。
【０１２３】
実施例１１、１２及び１３：液体洗剤組成物
有益剤送達組成物を含有する製品配合の非限定的な例を、以下の表に要約する。
【０１２４】
【表４】
2016525929.tif 000030
１  −ＮＨ基１個当たり２０個のエトキシランを有するポリエチレンイミン（Ｍｗ：６００ｇ／モル）（ＢＡＳＦ，Ｇｅｒｍａｎｙ）
２  ＰＧ６１７又はＰＧ６４０（ＢＡＳＦ，Ｇｅｒｍａｎｙ）
３  実施例８に記載されるコア−シェル封入体
４  香料マイクロカプセルは、以下の通りに調製することができる。２５グラムのブチルアクリレート−アクリル酸コポリマー乳化剤（Ｃｏｌｌｏｉｄ  Ｃ３５１、２５％固形分、ｐＫａ  ４．５〜４．７、Ｋｅｍｉｒａ  Ｃｈｅｍｉｃａｌｓ，Ｉｎｃ．Ｋｅｎｎｅｓａｗ，Ｇｅｏｒｇｉａ  Ｕ．Ｓ．Ａ．）を脱イオン水２００グラムに溶解し、混合する。溶液のｐＨを、水酸化ナトリウム溶液でｐＨ  ４に調整する。部分メチル化メチロールメラミン樹脂（Ｃｙｍｅｌ  ３８５、８０％固形分（Ｃｙｔｅｃ  Ｉｎｄｕｓｔｒｉｅｓ  Ｗｅｓｔ  Ｐａｔｅｒｓｏｎ，Ｎｅｗ  Ｊｅｒｓｅｙ，Ｕ．Ｓ．Ａ．））８グラムを乳化剤溶液に添加する。２００グラムの香油を、前の混合物に機械的撹拌下で添加し、温度を５０℃に上昇させる。安定なエマルションが得られるまで高速で混合した後に、第２の溶液及び４グラムの硫酸ナトリウムをこのエマルションに加える。この第２の溶液は、１０グラムのブチルアクリレートアクリル酸コポリマー乳化剤（コロイドＣ３５１（Ｃｏｌｌｏｉｄ  Ｃ３５１）、２５％固形分、ｐＫａ  ４．５〜４．７、Ｋｅｍｉｒａ）、１２０グラムの蒸留水、ｐＨを４．８に調整するための水酸化ナトリウム溶液、２５グラムの部分メチル化メチロールメラミン樹脂（Ｃｙｍｅｌ  ３８５、８０％固形分、Ｃｙｔｅｃ）を含有する。この混合物を７０℃まで加熱し、連続的に撹拌しながら一晩にわたって維持して、カプセル封入プロセスを完了させる。２３グラムのアセトアセトアミド（Ｓｉｇｍａ−Ａｌｄｒｉｃｈ，（Ｓａｉｎｔ  Ｌｏｕｉｓ，Ｍｉｓｓｏｕｒｉ，Ｕ．Ｓ．Ａ）をこの懸濁液に添加する。
【０１２５】
実施例１４及び１５：単位用量組成物
以下のものは、組成物がＰＶＡフィルム中に封入される封入有益剤を含有する単位用量実行の実施例である。一態様において、本実施例で使用されるフィルムは、厚さ７６μｍのＭｏｎｏｓｏｌ  Ｍ８６３０  ７６である。
【０１２６】
【表５】
2016525929.tif 000031
１  −ＮＨ基１個当たり２０個のエトキシラン基を有するポリエチレンイミン（ＭＷ  ６００グラム／モル）（ＢＡＳＦ，Ｇｅｒｍａｎｙ）
２  ＰＧ６１７又はＰＧ６４０（ＢＡＳＦ，Ｇｅｒｍａｎｙ）
３  実施例１１、１２及び１３のような香料マイクロカプセル調製物。
＊  これらの区画には、ｐＨ調節剤及び溶媒は添加されない
【０１２７】
実施例１６、１７及び１８：液体単位用量
以下のものは、組成物がＰＶＡフィルム中に封入される封入有益剤を含有する単位用量実行の実施例である。本実施例で使用されるフィルムは、厚さ７６μｍのＭｏｎｏｓｏｌ  Ｍ８６３０  ７６である。
【０１２８】
【表６】
2016525929.tif 000032
１  −ＮＨ  １個あたり２０個のエトキレート基を有するポリエチレンイミン（ＭＷ  ６００ｇ／モル）。
２  ＲＡ＝アルカリ保存性（ＮａＯＨのｇ／用量）
【０１２９】
実施例１９：錠剤、特に洗濯又は自動食器洗浄操作のための錠剤の形態の組成物
【０１３０】
【表７】
2016525929.tif 000033
１  表Ａに提供される値は、全洗剤錠剤の重量パーセントである。
【表８】
2016525929.tif 000034
２  表Ｂに提供される値は、全洗剤錠剤の重量パーセントである。
３  アニオン性／カチオン性凝集体は、２０％〜４５％のアニオン性界面活性剤、０．５％〜５％のカチオン性界面活性剤、０％〜５％のＴＡＥ８０、１５％〜３０％のＳＫＳ６、１０％〜２５％のゼオライト、５％〜１５％の炭酸塩、０％〜５％の炭酸塩、０％〜５％の硫酸塩、０％〜５％のケイ酸塩及び０％〜５％の水を含む。
４  アニオン性凝集体は、４０％〜８０％のアニオン性界面活性剤及び２０％〜６０％のＤＩＢＳを含む。
５  非イオン性凝集体は、２０％〜４０％の非イオン性界面活性剤、０％〜１０％のポリマー、３０％〜５０％の酢酸ナトリウム無水物、１５％〜２５％の炭酸塩及び５％〜１０％のゼオライトを含む。
６  粘土凝集体は、９０％〜１００％のＣＳＭ  Ｑｕｅｓｔ  ５Ａ粘土、０％〜５％のアルコール又はジオール、及び０％〜５％の水を含む。
７  層状ケイ酸塩は、９０％〜１００％のＳＫＳ６及び０％〜１０％のケイ酸塩を含む。
８  漂白活性剤凝集体１は、６５％〜７５％の漂白活性剤、１０％〜１５％のアニオン性界面活性剤、及び５〜１５％のクエン酸ナトリウムを含む。
９  漂白活性剤凝集体２は、７５％〜８５％のＴＡＥＤ、１５％〜２０％のアクリル酸／マレイン酸コポリマー（酸形態）及び０％〜５％の水を含む。
１０  エチレンジアミンＮ，Ｎ−二コハク酸ナトリウム塩／硫酸塩粒子は、５０％〜６０％のエチレンジアミンＮ，Ｎ−二コハク酸ナトリウム塩、２０％〜２５％の硫酸塩及び１５％〜２５％の水を含む。
１１  亜鉛フタロシアニン硫酸塩封入体は、５％〜１５％の活性物質である。
【０１３１】
ｉ）結合剤Ａを、実験室用ホットプレート（ＩＫＡ  Ｌａｂｏｒｔｅｃｈｎｉｋから供給）を用いて、２５０ｍＬのビーカー（Ｓｃｈｏｔｔ  Ｇｌａｓｓ／ＧｅｒｍａｎｙからのＤｕｒａｎ（登録商標））中でソルビトールを１０５℃まで加熱することによって調製する。
ｉｉ）基剤粉末Ｅを、表２に示す基剤粉末Ｅの成分を、コンクリート混合ドラム（ＬＥＳＣＨＡによって供給）内で周囲温度にて大気圧で混合することによって調製する。
ｉｉｉ）工程ｉ）からの２．４グラムの溶融した結合剤Ａを、工程ｉｉ）からの９７．６グラムの基剤粉末Ｅに、２００ｋＰａの圧力で１０５℃の温度にてスプレーして、組成物を形成する。
ｉｖ）この組成物を、２５℃の温度まで冷却させて、次いでＧＥＰＡプレスを用いて錠剤に成形する。４０グラムの組成物を、４１ｍｍ×４１ｍｍの正方形ダイに導入し、組成物を圧縮し、ＶＫ２００錠剤硬度テスター（Ｖａｎ  Ｋｅｌｌ  Ｉｎｄｕｓｔｒｉｅｓ，Ｉｎｃにより供給）で示される６３．７４Ｎの硬度を有する洗剤錠剤を得る。
【０１３２】
実施例２０及び２１：液体洗剤組成物
封入有益剤を含有する製品配合物の非限定的な例を、下表に要約する。
【０１３３】
【表９】
2016525929.tif 000035
１  −ＮＨ基１個当たり２０個のエトキシレート基を有するポリエチレンイミン（ＭＷ  ６００グラム／モル）（ＢＡＳＦ，Ｇｅｒｍａｎｙ）
２  ＰＧ６１７又はＰＧ６４０（ＢＡＳＦ，Ｇｅｒｍａｎｙツ）
３  香料マイクロカプセル調製物は、実施例１１、１２及び１３に記載される。
【０１３４】
本明細書に開示した寸法及び値は、記載された正確な数値に厳密に限定されるものと理解されるべきではない。むしろ、特に断らないかぎり、そのような寸法のそれぞれは、記載された値及びその値の周辺の機能的に同等の範囲の両方を意味することが意図される例えば、「４０ｍｍ」と開示された寸法は、「約４０ｍｍ」を意味することが意図される。
【国際調査報告】
2016525929.tif 000040
2016525929.tif 000041
2016525929.tif 000042